(57)【要約】【課題】近年、企業の会議室や教育機関の教室等の部屋に、複数の利用者が共有することができる電子黒板が設置され、各利用者は同じ描画像を見ながら会議や授業等を進めることができるようになった。また、複数の利用者が共有することができるコンピュータ装置に対して、１枚の共有の非接触式ＩＣカードを近接することで、各利用者がログイン用のＩＤを覚えていなくてもログインすることができるシステムが開示されている。しかし、複数の利用者が共有することができる共有端末に対して近接するＩＣカードも共有のものであると、会議や授業等に関係ない利用者であってもログインすることができるため、セキュリティー上の問題が生じる。【解決手段】複数の利用者が共有することができる共有端末２ｘであっても、ログインに利用するＩＣカード等の端末３を利用者Ａに専有のものとすることで、セキュリティーを確保することができる。【選択図】図１５
2018046559.tif 000002
【特許請求の範囲】
【請求項１】
複数の利用者が閲覧可能な画像を表示する共有端末であって、
特定の利用者の第１の専有端末から、当該第１の専有端末を識別するための第１の端末識別情報を取得する取得手段と、
所定の専有端末を識別するための所定の端末識別情報を管理する端末管理サーバに対して、前記取得手段によって取得された第１の端末識別情報と共にログイン認証の要求を送信する送信手段と、
前記送信手段による前記送信に基づいて前記端末管理サーバが前記第１の端末識別情報を管理しているかを判断することでログイン認証し、前記端末管理サーバから送信された認証結果を受信する受信手段と、
前記認証結果に正当である旨を示す情報が含まれていることでログインに成功した場合には、描画像を描画するための描画画面を表示し、前記認証結果に正当でない旨を示す情報が含まれていることでログインに失敗した場合には、エラーメッセージを示すエラー画面を表示する表示制御手段と、
を有することを特徴とする共有端末。
【請求項２】
前記取得手段は、前記第１の端末識別情報でログインに成功した後ログアウトする前に、第２の専有端末から、当該第２の専有端末を識別するための第２の端末識別情報を取得し、
前記送信手段は、前記所定の専有端末を識別するための所定の端末識別情報及び所定の専有端末の利用者を識別するための所定の利用者識別情報を関連付けて管理する前記端末管理サーバに対して、前記取得手段によって取得された前記第２の端末識別情報を送信し、
前記受信手段は、前記第２の端末識別情報の送信に基づいて、前記端末管理サーバから送信された第２の利用者識別情報を受信し、
前記表示制御手段は、前記第１の端末識別情報でログインに成功した際に前記端末管理サーバから受信された第１の利用者識別情報と前記受信された前記第２の利用者識別情報とが同じ場合には、ログオフするための終了画面を表示し、前記第１の利用者識別情報と前記第２の利用者識別情報が同じでない場合には、前記終了画面を表示しないこと、
を特徴とする請求項１に記載の共有端末。
【請求項３】
前記表示制御手段は、前記終了画面を表示しない場合、他の専有端末の近接を促すメッセージを示すメッセージ画面を表示することを特徴とする請求項２に記載の共有端末。
【請求項４】
前記表示制御手段は、前記画像に係るデータを添付した電子メールを送信する宛先として、前記ログインに利用された前記第１の端末識別情報で示される前記第１の専有端末の第１の利用者に係る第１の電子メールアドレスを設定した状態の宛先設定画面を表示し、
前記送信手段は、前記宛先設定画面で表示された前記第１の電子メールアドレスを宛先として、前記画像に係るデータを添付した電子メールを送信すること
を特徴とする請求項１乃至３のいずれか一項に記載の共有端末。
【請求項５】
前記送信手段は、前記所定の利用者識別情報、及び所定の利用者の所定の電子メールアドレスを関連付けて管理する宛先管理サーバに対して、前記受信手段によって受信された前記第１の利用者識別情報を送信し、
前記受信手段は、前記送信手段による前記第１の利用者識別情報の送信に基づいて、前記宛先管理サーバから送信された前記第１の電子メールアドレスを受信し、
前記表示制御手段は、前記宛先設定画面に、前記受信された前記第１の電子メールアドレスを前記宛先として表示すること
を特徴とする請求項４に記載の共有端末。
【請求項６】
前記表示制御手段が前記宛先設定画面を表示している際に、前記取得手段が前記第１の端末識別情報とは異なる第２の端末識別情報を取得した場合には、前記表示制御手段は、前記宛先設定画面に対して、前記第２の端末識別情報で示される前記第２の専有端末の第２の利用者に係る第２の電子メールアドレスを追加設定した状態の前記宛先設定画面を表示することを特徴とする請求項４又は５に記載の共有端末。
【請求項７】
前記受信手段は、前記送信手段による前記第２の利用者識別情報の送信に基づいて、前記宛先管理サーバから送信された前記第２の電子メールアドレスを受信し、
前記表示制御手段は、前記宛先設定画面に、前記受信された前記第２の電子メールアドレスを前記宛先として追加表示すること
を特徴とする請求項６に記載の共有端末。
【請求項８】
前記表示制御手段は、前記画像の印刷パラメータを設定するための印刷設定画面を表示し、
前記送信手段は、所定の画像に係るデータ、印刷者名として前記所定の専有端末の利用者に係る所定の利用者名、及び前記印刷設定画面で設定された所定の印刷パラメータを関連付けて管理する印刷サーバに対して、前記画像に係るデータ、前記ログインに利用された前記第１の端末識別情報で示される前記第１の専有端末の第１の利用者に係る第１の利用者名、及び前記印刷設定画面で設定された特定の印刷パラメータを送信すること、
を特徴とする請求項１乃至３のいずれか一項に記載の共有端末。
【請求項９】
前記送信手段は、前記所定の端末識別情報に対して更に所定の専有端末の利用者の所定の利用者名を関連付けて管理する前記端末管理サーバに対して、前記受信手段によって受信された前記第１の利用者識別情報を送信し、
前記受信手段は、前記送信手段による前記第１の利用者識別情報の送信に基づいて、前記宛先管理サーバから送信された前記第１の利用者名を受信し、
前記表示制御手段は、前記印刷設定画面に、前記印刷者名として前記受信された前記第１の利用者名を表示すること、
を特徴とする請求項８に記載の共有端末。
【請求項１０】
前記表示制御手段が前記印刷設定画面を表示している場合に、前記取得手段が前記第１の端末識別情報とは異なる第２の端末識別情報を取得した場合には、
前記送信手段は、前記端末管理サーバに対して、前記受信手段によって受信された前記第２の利用者識別情報を送信し、
前記受信手段は、前記送信手段による前記第２の利用者識別情報の送信に基づいて、前記宛先管理サーバから送信された前記第２の利用者名を受信し、
前記表示制御手段は、前記印刷設定画面に、前記印刷者名として前記第１の利用者名から前記受信された前記第２の利用者名に変更表示すること、
を特徴とする請求項９に記載の共有端末。
【請求項１１】
前記共有端末は、電子黒板である請求項１乃至１０のいずれか一項に記載の共有端末。
【請求項１２】
請求項１乃至１１のいずれか一項に記載の共有端末と、
前記端末管理サーバと、
を有することを特徴とする通信システム。
【請求項１３】
請求項１２に記載の通信システムは、前記専有端末を有することを特徴とする通信システム。
【請求項１４】
前記専有端末は、ＩＣカード又はスマートフォンである請求項１３に記載の通信システム。
【請求項１５】
複数の利用者が閲覧可能な画像を表示する共有端末が実行する通信方法であって、
第１の専有端末から、当該第１の専有端末を識別するための第１の端末識別情報を取得する取得ステップと、
所定の専有端末を識別するための所定の端末識別情報を管理する端末管理サーバに対して、前記取得ステップによって取得された第１の端末識別情報と共にログイン認証の要求を送信する送信ステップと、
前記送信ステップによる前記送信に基づいて前記端末管理サーバが前記第１の端末識別情報を管理しているかを判断することでログイン認証し、前記端末管理サーバから送信された認証結果を受信する受信ステップと、
前記認証結果に正当である旨を示す情報が含まれていることでログインに成功した場合には、描画像を描画するための描画画面を表示し、前記認証結果に正当でない旨を示す情報が含まれていることでログインに失敗した場合には、エラーメッセージを示すエラー画面を表示する表示制御ステップと、
を実行することを特徴とする通信方法。
【請求項１６】
コンピュータに、請求項１乃至１０のいずれか一項に記載の各手段を実現させるためのプログラム。
【発明の詳細な説明】
【技術分野】
【０００１】
本発明は、共有端末、通信システム、通信方法、及びプログラムに関する。
【背景技術】
【０００２】
近年、企業の会議室や教育機関の教室等の部屋に、複数の利用者が共有することができる電子黒板が設置されるようになった。この電子黒板は、大型のタッチパネル式のディスプレイを有しており、各利用者が専用の電子ペンや指などで描画した描画像を表示する。これにより、各利用者は、同じ描画像を見ながら会議や授業等を進めることができるようになった（特許文献１参照）。
【０００３】
また、複数の利用者が共有することができるコンピュータ装置に対して、１枚の共有の非接触式ＩＣカードを近接することで、各利用者がログイン用のＩＤを覚えていなくてもログインすることができるシステムが開示されている（特許文献２参照）。
【発明の概要】
【発明が解決しようとする課題】
【０００４】
しかしながら、複数の利用者が共有することができる共有端末に対して近接するＩＣカードも共有のものであると、会議や授業等に関係ない利用者であってもログインすることができるため、セキュリティー上の問題が生じる。
【課題を解決するための手段】
【０００５】
上述した課題を解決すべく、請求項１に係る発明は、複数の利用者が閲覧可能な画像を表示する共有端末であって、特定の利用者の第１の専有端末から、当該第１の専有端末を識別するための第１の端末識別情報を取得する取得手段と、所定の専有端末を識別するための所定の端末識別情報を管理する端末管理サーバに対して、前記取得手段によって取得された第１の端末識別情報と共にログイン認証の要求を送信する送信手段と、前記送信手段による前記送信に基づいて前記端末管理サーバが前記第１の端末識別情報を管理しているかを判断することでログイン認証し、前記端末管理サーバから送信された認証結果を受信する受信手段と、前記認証結果に正当である旨を示す情報が含まれていることでログインに成功した場合には、描画像を描画するための描画画面を表示し、前記認証結果に正当でない旨を示す情報が含まれていることでログインに失敗した場合には、エラーメッセージを示すエラー画面を表示する表示制御手段と、を有することを特徴とする共有端末である。
【発明の効果】
【０００６】
本発明によれば、複数の利用者が共有することができる共有端末であっても、ログインに利用するＩＣカード等の端末を専有のものとすることで、セキュリティーを確保することができるという効果を奏する。
【図面の簡単な説明】
【０００７】
【図１】本実施形態に係る通信システムの概略図である。
【図２】電子黒板のハードウェア構成図である。
【図３】ＩＣカードのハードウェア構成図である。
【図４】スマートフォンのハードウェア構成図である。
【図５】サーバ、ＰＣのハードウェア構成図である。
【図６】ＭＦＰのハードウェア構成図である。
【図７】ビデオ会議端末のハードウェア構成図である。
【図８】電子黒板のディスプレイに表示された画面例である。
【図９】電子黒板のディスプレイに表示された画面例である。
【図１０】電子黒板のディスプレイに表示された画面例である。
【図１１】通信システムの機能ブロック図である。
【図１２】（Ａ）は端末管理テーブルの概念図、（Ｂ）は宛先管理テーブルの概念図である。
【図１３】ログイン処理を示したシーケンス図である。
【図１４】電子黒板のディスプレイに表示された画面例である。
【図１５】利用者が電子黒板を利用する状態を示したイメージ図である。
【図１６】ログインする場合の認証結果に基づく処理を示すフローチャートである。
【図１７】電子メールで描画像データを送信する場合の処理を示すシーケンス図である。
【図１８】電子メールで描画像データを送信する場合の認証結果に基づく処理を示すフローチャートである。
【図１９】描画像データの印刷準備処理を示したシーケンス図である。
【図２０】印刷する場合の認証結果に基づく処理を示すフローチャートである。
【図２１】印刷設定画面の表示例を示した図である。
【図２２】利用者がＭＦＰを利用する状態を示したイメージ図である。
【図２３】描画像データの印刷処理を示したシーケンス図である。
【図２４】描画の終了処理を示したシーケンス図である。
【図２５】保存時にフォルダを選択する場合における終了処理を示すフローチャートである。
【図２６】その他の通信処理を示したシーケンス図である。
【発明を実施するための形態】
【０００８】
以下に図面を用いて、本実施形態に係る通信システム１を詳細に説明する。
【０００９】
＜＜システム構成の概略＞＞
まず、通信システム１の構成の概略について説明する。図１は、本実施形態に係る通信システムの概略図である。
【００１０】
図１に示されているように、本実施形態の通信システム１は、電子黒板２ｘ、電子黒板２ｙ、ＩＣ(Integrated Circuit)カード３、スマートフォン４、端末管理サーバ５、宛先管理サーバ６、メールサーバ７、印刷サーバ８、ＭＦＰ(Multifunction Peripheral/Product/Printer)９、ＰＣ(Personal Computer)１０ａ，１０ｂ、及びビデオ会議端末１３によって構築されている。なお、以下では、電子黒板２ｘ、電子黒板２ｙのうち、任意の電子黒板を「電子黒板２」として表わす。また、ＰＣ１０ａ，１０ｂのうち、任意のＰＣを「ＰＣ１０」として表す。
【００１１】
また、通信システム１を構成する電子黒板２、端末管理サーバ５、宛先管理サーバ６、メールサーバ７、印刷サーバ８、ＭＦＰ９、ＰＣ１０、及びビデオ会議端末１３は、通信ネットワーク１００を介して通信することができる。通信ネットワーク１００は、インターネット、移動体通信網、ＬＡＮ(Local Area Network)等によって構築されている。通信ネットワーク１００には、有線通信だけでなく、３Ｇ(3rd Generation)、ＷｉＭＡＸ(Worldwide Interoperability for Microwave Access)、ＬＴＥ(Long Term Evolution)等の無線通信によるネットワークが含まれてもよい。また、電子黒板２と、ＩＣカード３及びスマートフォン４は、それぞれＮＦＣ(Near Field Communication)(登録商標)等の近距離通信技術によって通信可能である。また、スマートフォン４は、Ｂｌｕｅｔｏｏｔｈ（登録商標）等の近距離通信技術によって電子黒板２と通信してもよい。
【００１２】
また、電子黒板２ｘと電子黒板２ｙは、それぞれ利用者によって描画された内容である描画像のデータ（以下、「描画像データ」という）を送受信することができる。そのため、電子黒板２ｘで描画された内容は電子黒板２ｙでも表示され、逆に、電子黒板２ｙで描画された内容は電子黒板２ｘでも表示される。
【００１３】
また、電子黒板２は、描画像データからＲＰＣＳ(Refined Printing Command Stream)形式の画像データを作成し、通信ネットワーク１００を介してＭＦＰ９に送信することができる。更に、電子黒板２は、描画像データからＰＤＦ(Portable Document Format)形式の画像データを作成して電子メールに添付した後、通信ネットワーク１００を介してＰＣ１０に電子メールを送信することができる。これにより、ＭＦＰ９は描画像を印刷することができ、ＰＣ１０は描画像を表示することができる。
【００１４】
また、電子黒板２は、利用者によって描画されていない資料やディスプレイ２２０に表示される背景画像等の非描画像も表示することができる。この場合も、電子黒板２は、非描画像のデータ（以下、「非描画像データ」という）からＲＰＣＳ形式の画像データを作成し、通信ネットワーク１００を介してＭＦＰ９に送信することができる。更に、電子黒板２は、非描画像データからＰＤＦ形式の画像データを作成して電子メールに添付した後、通信ネットワーク１００を介してＰＣ１０に電子メールを送信することができる。
【００１５】
なお、ＲＰＣＳ形式の画像データ及びＰＤＦ形式の画像データは、元の描画像又は元の非描画像としての画像に係るデータである。また、電子黒板２は共有端末の一例であり、複数の利用者が同時に同じ画像を閲覧する（見る）ことができる。ＩＣカード３及びスマートフォン４は、専有端末の一例である。専用端末は、好ましくは、利用者により携帯可能な端末であり、例えば、会議等に携帯できる。ＭＦＰ９は、印刷装置の一例である。ＰＣ１０は、個人端末の一例である。個人端末の例として、デスクトップＰＣ、ノートＰＣ、タブレット端末等がある。個人端末は、ユーザが自身のメールアドレスへのアクセスに利用されるＰＣであればよく、会議等に携帯する必要はない。
【００１６】
また、画像データは、ＲＰＣＳ形式だけでなく、ＰＣＬ(Printer Control Language)形式、ＰＤＬ(Page Description Language)形式、又はＰＳ(PostScript)形式であってもよい。
【００１７】
図１では、利用者Ａは、ＩＣカード３を所有しており、電子黒板２を利用した会議にＩＣカード３を持参している。利用者Ｂは、スマートフォン４を所有しており、電子黒板２を利用した会議にスマートフォン４を持参している。ＰＣ１０ａは、利用者Ａが所有しているＰＣである。ＰＣ１０ｂは、利用者Ｂが所有しているＰＣである。また、電子黒板２は、ビデオ会議機能を有しており、通信ネットワーク１００を介してビデオ会議端末１３と映像及び音声による会議等を行なうことができる。
【００１８】
端末管理サーバ５は、専有端末を識別するための端末ＩＤ(Identification)を管理する。宛先管理サーバ６は、各利用者が所有するＰＣの電子メールアドレスを管理する。ここでは、各利用者が所有するＰＣの電子メールアドレスとは、各利用者のメールアドレスであり、宛先管理サーバ６に利用者ＩＤと紐づいて登録されている。メールサーバ７は、通信ネットワーク１００を介する電子メールの送受信を管理する。印刷サーバ８は、いわゆる「セキュアプリント」を実現するためのサーバであり、電子黒板２やＰＣ１０から送信された画像に係るデータ（ここでは、印刷データ）を一旦保存しておき、ＭＦＰ９からの要求に応じてＭＦＰ９に画像に係るデータを送信する。
【００１９】
＜＜ハードウェア構成＞＞
続いて、図２乃至図７を用いて、通信システム１を構築する装置又は端末のハードウェア構成を説明する。
【００２０】
＜電子黒板のハードウェア構成＞
図２は、電子黒板のハードウェア構成図である。図２に示されているように、電子黒板２は、ＣＰＵ(Central Processing Unit)２０１、ＲＯＭ(Read Only Memory)２０２、ＲＡＭ(Random Access Memory)２０３、ＳＳＤ(Solid State Drive)２０４、ネットワークＩ／Ｆ２０５、及び、外部機器接続Ｉ／Ｆ(Interface)２０６を備えている。
【００２１】
これらのうち、ＣＰＵ２０１は、電子黒板２全体の動作を制御する。ＲＯＭ２０２は、ＩＰＬ(Initial Program Loader)等のＣＰＵ２０１の駆動に用いられるプログラムを記憶する。ＲＡＭ２０３は、ＣＰＵ２０１のワークエリアとして使用される。ＳＳＤ２０４は、電子黒板用のプログラム等の各種データを記憶する。ネットワークＩ／Ｆ２０５は、通信ネットワーク１００を介した外部装置との通信を制御する。外部機器接続Ｉ／Ｆ２０６は、ＵＳＢ(Universal Serial Bus)メモリ２６００、外付け機器（カメラ２４００、スピーカ２３００、マイク２２００）との通信を制御する。
【００２２】
また、電子黒板２は、キャプチャデバイス２１１、ＧＰＵ２１２、ディスプレイコントローラ２１３、接触センサ２１４、センサコントローラ２１５、電子ペンコントローラ２１６、近距離通信回路２１９、近距離通信回路２１９のアンテナ２１９ａ、及び電源スイッチ２２２を備えている。
【００２３】
これらのうち、キャプチャデバイス２１１は、ＰＣ１０のディスプレイ５０８に対して映像情報を静止画または動画として表示させる。ＧＰＵ(Graphics Processing Unit)２１２は、グラフィクスを専門に扱う半導体チップである。ディスプレイコントローラ２１３は、ＧＰＵ２１２からの出力画像をディスプレイ２２０等へ出力するために画面表示の制御及び管理を行う。接触センサ２１４は、ディスプレイ２２０上に電子ペン２５００やユーザの手Ｈ等が接触したことを検知する。センサコントローラ２１５は、接触センサ２１４の処理を制御する。接触センサ２１４は、赤外線遮断方式による座標の入力及び座標の検出を行う。この座標の入力及び座標の検出する方法は、ディスプレイ２２０の上側両端部に設置された２つ受発光装置が、ディスプレイ２２０に平行して複数の赤外線を放射し、ディスプレイ２２０の周囲に設けられた反射部材によって反射されて、受光素子が放射した光の光路と同一の光路上を戻って来る光を受光する方法である。接触センサ２１４は、物体によって遮断された２つの受発光装置が放射した赤外線のＩＤをセンサコントローラ２１５に出力し、センサコントローラ２１５が、物体の接触位置である座標位置を特定する。電子ペンコントローラ２１６は、電子ペン２５００と通信することで、ディスプレイ２２０へのペン先のタッチやペン尻のタッチの有無を判断する。近距離通信回路２１９は、ＮＦＣ、Ｂｌｕｅｔｏｏｔｈ等の通信回路である。
【００２４】
電源スイッチ２２２は、電子黒板２の電源のＯＮ／ＯＦＦを切り換えるためのスイッチである。
【００２５】
更に、電子黒板２は、バスライン２１０を備えている。バスライン２１０は、図２に示されているＣＰＵ２０１等の各構成要素を電気的に接続するためのアドレスバスやデータバス等である。
【００２６】
なお、接触センサ２１４は、赤外線遮断方式に限らず、静電容量の変化を検知することにより接触位置を特定する静電容量方式のタッチパネル、対向する２つの抵抗膜の電圧変化によって接触位置を特定する抵抗膜方式のタッチパネル、接触物体が表示部に接触することによって生じる電磁誘導を検知して接触位置を特定する電磁誘導方式のタッチパネルなどの種々の検出手段を用いてもよい。また、電子ペンコントローラ２１６が、電子ペン２５００のペン先及びペン尻だけでなく、電子ペン２５００のユーザが握る部分や、その他の電子ペンの部分のタッチの有無を判断するようにしてもよい。
【００２７】
＜ＩＣカードのハードウェア構成＞
図３は、ＩＣカードのハードウェア構成図である。ここでは、非接触型の構成について説明するが、接触型を利用してもよい。図３に示されているように、ＩＣカード３は、ＩＣチップ３１０、及びアンテナコイル３３０を備えている。更に、ＩＣチップ３１０は、ＣＰＵ３１１、ＲＯＭ３１２、ＲＡＭ３１３、ＥＥＰＲＯＭ３１４、アンテナＩ／Ｆ３１８を備えている。
【００２８】
これらのうち、ＣＰＵ３１１は、ＩＣカード３全体の動作を制御する。ＲＯＭ３１２は、ＣＰＵ３１１の駆動に用いられるプログラムを記憶する。ＲＡＭ３１３は、ＣＰＵ３１１のワークエリアとして使用される。ＥＥＰＲＯＭ（Electrically Erasable and Programmable ROM）３１４は、ＩＣカード３用のプログラムや、ＩＣカード３を識別するための端末ＩＤ等の各種データを記憶する。アンテナＩ／Ｆ３１８は、アンテナコイル３３０を介して、外部装置と行なうデータの送受信を制御する。
【００２９】
更に、ＩＣカード３は、バスライン３２０を備えている。バスライン３２０は、図３に示されているＣＰＵ３１１等の各構成要素を電気的に接続するためのアドレスバスやデータバス等である。
【００３０】
アンテナコイル３３０は、ＩＣカード３がリーダ・ライタ等の外部装置の発生する磁界を通過する際に、この磁気を受けて電流を発生するためのコイルである。ＩＣカード３は、この電気を利用することで、ＩＣチップ３１０が起動し、外部装置のリーダ・ライタと交信し、データの取得や提供が可能になる。
【００３１】
＜スマートフォンのハードウェア構成＞
図４は、スマートフォンのハードウェア構成図である。図４に示されているように、スマートフォン４は、ＣＰＵ４０１、ＲＯＭ４０２、ＲＡＭ４０３、ＥＥＰＲＯＭ４０４、ＣＭＯＳセンサ４０５、加速度・方位センサ４０６、メディアＩ／Ｆ４０８、ＧＰＳ受信部４０９を備えている。
【００３２】
これらのうち、ＣＰＵ４０１は、スマートフォン４全体の動作を制御する。ＲＯＭ４０２は、ＩＰＬ等のＣＰＵ４０１の駆動に用いられるプログラムを記憶する。ＲＡＭ４０３は、ＣＰＵ４０１のワークエリアとして使用される。ＥＥＰＲＯＭ４０４は、ＣＰＵ４０１の制御にしたがって、スマートフォン４用プログラム等の各種データの読み出し又は書き込みを行う。ＣＭＯＳ(Complementary Metal Oxide Semiconductor)センサ４０５は、ＣＰＵ４０１の制御に従って被写体（主にスマートフォン４を操作するユーザの自画像）を撮像し画像データを得る。加速度・方位センサ４０６は、地磁気を検知する電子磁気コンパスやジャイロコンパス、加速度センサ等の各種センサである。メディアＩ／Ｆ４０８は、フラッシュメモリ等の記録メディア４０７に対するデータの読み出し又は書き込み（記憶）を制御する。ＧＰＳ受信部４０９は、ＧＰＳ衛星からＧＰＳ信号を受信する。
【００３３】
また、スマートフォン４は、遠距離通信回路４１１、カメラ４１２、撮像素子Ｉ／Ｆ４１３、マイク４１４、スピーカ４１５、音入出力Ｉ／Ｆ４１６、ディスプレイ４１７、外部機器接続Ｉ／Ｆ４１８、近距離通信回路４１９、近距離通信回路４１９のアンテナ４１９ａ、及びタッチパネル４２１を備えている。
【００３４】
これらのうち、遠距離通信回路４１１は、通信ネットワーク１００を介して、他の機器と通信する回路である。カメラ４１２は、ＣＰＵ４０１の制御に従って被写体を撮像して画像データを得る内蔵型の撮像手段の一種である。撮像素子Ｉ／Ｆ４１３は、カメラ４１２の駆動を制御する回路である。マイク４１４は、音声を入力する内蔵型の集音手段の一種である。音入出力Ｉ／Ｆ４１６は、ＣＰＵ４０１の制御に従ってマイク４１４及びスピーカ４１５との間で音信号の入出力を処理する回路である。ディスプレイ４１７は、被写体の画像や各種アイコン等を表示する液晶や有機ＥＬなどの表示手段の一種である。外部機器接続Ｉ／Ｆ４１８は、各種の外部機器を接続するためのインターフェースである。近距離通信回路４１９は、ＮＦＣやＢｌｕｅｔｏｏｔｈ等の通信回路である。タッチパネル４２１は、利用者がディスプレイ４１７を押下することで、スマートフォン４を操作する入力手段の一種である。
【００３５】
また、スマートフォン４は、バスライン４１０を備えている。バスライン４１０は、図４に示されているＣＰＵ４０１等の各構成要素を電気的に接続するためのアドレスバスやデータバス等である。
【００３６】
＜サーバ、ＰＣのハードウェア構成＞
図５は、サーバ、ＰＣのハードウェア構成図である。なお、端末管理サーバ５、宛先管理サーバ６、メールサーバ７、印刷サーバ８及びＰＣ１０ａ，１０ｂは、基本的に同様のハードウェア構成であるため、ここでは、端末管理サーバ５のハードウェア構成について説明する。また、以降の説明では、宛先管理サーバ６、メールサーバ７、印刷サーバ８及びＰＣ１０ａ，１０ｂのハードウェア構成について説明する場合には、図５に示されている各構成を用いて説明する。
【００３７】
端末管理サーバ５は、コンピュータによって構築されており、図５に示されているように、ＣＰＵ５０１、ＲＯＭ５０２、ＲＡＭ５０３、ＨＤ５０４、ＨＤＤ(Hard Disk Drive)５０５、記録メディア５０６、メディアＩ／Ｆ５０７、ディスプレイ５０８、ネットワークＩ／Ｆ５０９、キーボード５１１、マウス５１２、ＣＤ−ＲＷドライブ５１４、及び、バスライン５１０を備えている。なお、端末管理サーバ５は、サーバとして機能するため、キーボード５１１やマウス５１２等の入力装置や、ディスプレイ５０８等の出力装置はなくてもよい。
【００３８】
これらのうち、ＣＰＵ５０１は、端末管理サーバ５全体の動作を制御する。ＲＯＭ５０２は、ＩＰＬ等のＣＰＵ５０１の駆動に用いられるプログラムを記憶する。ＲＡＭ５０３は、ＣＰＵ５０１のワークエリアとして使用される。ＨＤ５０４は、プログラム等の各種データを記憶する。ＨＤＤ(Hard Disk Drive)５０５は、ＣＰＵ５０１の制御にしたがってＨＤ５０４に対する各種データの読み出し又は書き込みを制御する。メディアＩ／Ｆ５０７は、フラッシュメモリ等の記録メディア５０６に対するデータの読み出し又は書き込み（記憶）を制御する。ディスプレイ５０８は、カーソル、メニュー、ウィンドウ、文字、又は画像などの各種情報を表示する。ネットワークＩ／Ｆ５０９は、通信ネットワーク１００を利用してデータ通信をするためのインターフェースである。キーボード５１１は、文字、数値、各種指示などの入力のための複数のキーを備えた入力手段の一種である。マウス５１２は、各種指示の選択や実行、処理対象の選択、カーソルの移動などを行う入力手段の一種である。ＣＤ−ＲＷドライブ５１４は、着脱可能な記録媒体の一例としてのＣＤ−ＲＷ(Compact Disk-Rewritable)５１３に対する各種データの読み出し又は書き込みを制御する。
【００３９】
また、端末管理サーバ５は、バスライン５１０を備えている。バスライン５１０は、図５に示されているＣＰＵ５０１等の各構成要素を電気的に接続するためのアドレスバスやデータバス等である。
【００４０】
＜ＭＦＰのハードウェア構成＞
図６は、ＭＦＰのハードウェア構成図である。図６に示されているように、ＭＦＰ９は、コントローラ９１０、近距離通信回路９２０、エンジン制御部９３０、操作パネル９４０、ネットワークＩ／Ｆ９５０を備えている。
【００４１】
これらのうち、コントローラ９１０は、コンピュータの主要部であるＣＰＵ９０１、システムメモリ（ＭＥＭ−Ｐ）９０２、ノースブリッジ（ＮＢ）９０３、サウスブリッジ（ＳＢ）９０４、ＡＳＩＣ(Application Specific Integrated Circuit)９０６、記憶部であるローカルメモリ（ＭＥＭ−Ｃ）９０７、ＨＤＤ９０８、及び、記憶部であるＨＤ９０９を有し、ＮＢ９０３とＡＳＩＣ９０６との間をＡＧＰ(Accelerated Graphics Port)バス９２１で接続した構成となっている。
【００４２】
これらのうち、ＣＰＵ９０１は、ＭＦＰ９の全体制御を行う制御部である。ＮＢ９０３は、ＣＰＵ９０１と、ＭＥＭ−Ｐ９０２、ＳＢ９０４、及びＡＧＰバス９２１とを接続するためのブリッジであり、ＭＥＭ−Ｐ９０２に対する読み書きなどを制御するメモリコントローラと、ＰＣＩ(Peripheral Component Interconnect)マスタ及びＡＧＰターゲットとを有する。
【００４３】
ＭＥＭ−Ｐ９０２は、コントローラ９１０の各機能を実現させるプログラムやデータの格納用メモリであるＲＯＭ９０２ａ、プログラムやデータの展開、及び印刷時の描画用メモリなどとして用いるＲＡＭ９０２ｂとからなる。なお、ＲＡＭ９０２ｂに記憶されているプログラムは、インストール可能な形式又は実行可能な形式のファイルでＣＤ−ＲＯＭ、ＦＤ、ＣＤ−Ｒ、ＤＶＤ等のコンピュータで読み取り可能な記録媒体に記録して提供するように構成してもよい。
【００４４】
ＳＢ９０４は、ＮＢ９０３とＰＣＩデバイス、周辺デバイスとを接続するためのブリッジである。ＡＳＩＣ９０６は、画像処理用のハードウェア要素を有する画像処理用途向けのＩＣ(Integrated Circuit)であり、ＡＧＰバス９２１、ＰＣＩバス９２２、ＨＤＤ９０８およびＭＥＭ−Ｃ９０７をそれぞれ接続するブリッジの役割を有する。このＡＳＩＣ９０６は、ＰＣＩターゲットおよびＡＧＰマスタ、ＡＳＩＣ９０６の中核をなすアービタ（ＡＲＢ）、ＭＥＭ−Ｃ９０７を制御するメモリコントローラ、ハードウェアロジックなどにより画像データの座標変換などを行う複数のＤＭＡＣ(Direct Memory Access Controller)、並びに、スキャナ部９３１及びプリンタ部９３２との間でＰＣＩバス９２２を介したデータ転送を行うＰＣＩユニットとからなる。なお、ＡＳＩＣ９０６には、ＵＳＢ(Universal Serial Bus)のインターフェースや、ＩＥＥＥ１３９４(Institute of Electrical and Electronics Engineers 1394）のインターフェースを接続するようにしてもよい。
【００４５】
ＭＥＭ−Ｃ９０７は、コピー用画像バッファ及び符号バッファとして用いるローカルメモリである。ＨＤ９０９は、画像データの蓄積、印刷時に用いるフォントデータの蓄積、フォームの蓄積を行うためのストレージである。ＨＤＤ９０８は、ＣＰＵ９０１の制御にしたがってＨＤ９０９に対するデータの読出又は書込を制御する。ＡＧＰバス９２１は、グラフィック処理を高速化するために提案されたグラフィックスアクセラレータカード用のバスインタフェースであり、ＭＥＭ−Ｐ９０２に高スループットで直接アクセスすることにより、グラフィックスアクセラレータカードを高速にすることができる。
【００４６】
また、近距離通信回路９２０には、近距離通信用アンテナ９２０ａが備わっている。近距離通信回路９２０は、ＮＦＣ、Ｂｌｕｅｔｏｏｔｈ等の通信回路である。
【００４７】
更に、エンジン制御部９３０は、スキャナ部９３１及びプリンタ部９３２によって構成されている。また、操作パネル９４０は、現在の設定値や選択画面等を表示させ、操作者からの入力を受け付けるタッチパネル等のパネル表示部９４０ａ、並びに、濃度の設定条件などの画像形成に関する条件の設定値を受け付けるテンキー及びコピー開始指示を受け付けるスタートキー等からなる操作パネル９４０ｂを備えている。コントローラ９１０は、ＭＦＰ９全体の制御を行い、例えば、描画、通信、操作パネル９４０からの入力等を制御する。スキャナ部９３１又はプリンタ部９３２には、誤差拡散やガンマ変換などの画像処理を行なう制御部が含まれている。
【００４８】
なお、ＭＦＰ９は、操作パネル９４０のアプリケーション切り替えキーにより、ドキュメントボックス機能、コピー機能、プリンタ機能、およびファクシミリ機能を順次に切り替えて選択することが可能となる。ドキュメントボックス機能の選択時にはドキュメントボックスモードとなり、コピー機能の選択時にはコピーモードとなり、プリンタ機能の選択時にはプリンタモードとなり、ファクシミリモードの選択時にはファクシミリモードとなる。
【００４９】
また、ネットワークＩ／Ｆ９５０は、通信ネットワーク１００を利用してデータ通信をするためのインターフェースである。近距離通信回路９２０及びネットワークＩ／Ｆ９５０は、ＰＣＩバス９２２を介して、ＡＳＩＣ９０６に電気的に接続されている。
【００５０】
＜ビデオ会議端末のハードウェア構成＞
図７は、本実施形態に係るビデオ会議端末のハードウェア構成図である。図７に示されているように、ビデオ会議端末１３は、ＣＰＵ１０１、ＲＯＭ１０２、ＲＡＭ１０３、フラッシュメモリ１０４、ＳＳＤ１０５、メディアＩ／Ｆ１０７、操作ボタン１０８、電源スイッチ１０９、バスライン１１０、ネットワークＩ／Ｆ１１１、カメラ１１２、撮像素子Ｉ／Ｆ１１３、マイク１１４、スピーカ１１５、音入出力Ｉ／Ｆ１１６、ディスプレイＩ／Ｆ１１７、外部機器接続Ｉ／Ｆ１１８、近距離通信回路１１９、近距離通信回路１１９のアンテナ１１９ａを備えている。これらのうち、ＣＰＵ１０１は、ビデオ会議端末１３全体の動作を制御する。ＲＯＭ１０２は、ＩＰＬ等のＣＰＵ１０１の駆動に用いられるプログラムを記憶する。ＲＡＭ１０３は、ＣＰＵ１０１のワークエリアとして使用される。フラッシュメモリ１０４は、通信用プログラム、画像データ、及び音データ等の各種データを記憶する。ＳＳＤ１０５は、ＣＰＵ１０１の制御にしたがってフラッシュメモリ１０４に対する各種データの読み出し又は書き込みを制御する。なお、ＳＳＤに代えてＨＤＤを用いてもよい。メディアＩ／Ｆ１０７は、フラッシュメモリ等の記録メディア１０６に対するデータの読み出し又は書き込み（記憶）を制御する。操作ボタン１０８は、ビデオ会議端末１３の宛先を選択する場合などに操作されるボタンである。電源スイッチ１０９は、ビデオ会議端末１３の電源のＯＮ／ＯＦＦを切り換えるためのスイッチである。
【００５１】
また、ネットワークＩ／Ｆ１１１は、インターネット等の通信ネットワーク１００を利用してデータ通信をするためのインターフェースである。カメラ１１２は、ＣＰＵ１０１の制御に従って被写体を撮像して画像データを得る内蔵型の撮像手段の一種である。撮像素子Ｉ／Ｆ１１３は、カメラ１１２の駆動を制御する回路である。マイク１１４は、音声を入力する内蔵型の集音手段の一種である。音入出力Ｉ／Ｆ１１６は、ＣＰＵ１０１の制御に従ってマイク１１４及びスピーカ１１５との間で音信号の入出力を処理する回路である。ディスプレイＩ／Ｆ１１７は、ＣＰＵ１０１の制御に従って外付けのディスプレイ１２０に画像データを送信する回路である。外部機器接続Ｉ／Ｆ１１８は、各種の外部機器を接続するためのインターフェースである。近距離通信回路１１９は、ＮＦＣ、Ｂｌｕｅｔｏｏｔｈ等の通信回路である。
【００５２】
また、バスライン１１０は、図７に示されているＣＰＵ１０１等の各構成要素を電気的に接続するためのアドレスバスやデータバス等である。
【００５３】
ディスプレイ１２０は、被写体の画像や操作用アイコン等を表示する液晶や有機ＥＬによって構成された表示手段の一種である。また、ディスプレイ１２０は、ケーブル１２０ｃによってディスプレイＩ／Ｆ１１７に接続される。このケーブル１２０ｃは、アナログＲＧＢ（ＶＧＡ）信号用のケーブルであってもよいし、コンポーネントビデオ用のケーブルであってもよいし、ＨＤＭＩ(High-Definition Multimedia Interface)（登録商標）やＤＶＩ(Digital Video Interactive)信号用のケーブルであってもよい。
【００５４】
なお、カメラ１１２は、レンズや、光を電荷に変換して被写体の画像（映像）を電子化する固体撮像素子を含み、固体撮像素子として、ＣＭＯＳ(Complementary Metal Oxide Semiconductor)や、ＣＣＤ（Charge Coupled Device）等が用いられる。外部機器接続Ｉ／Ｆ１１８には、ＵＳＢケーブル等によって、外付けカメラ、外付けマイク、及び外付けスピーカ等の外部機器がそれぞれ接続可能である。外付けカメラが接続された場合には、ＣＰＵ１０１の制御に従って、内蔵型のカメラ１１２に優先して、外付けカメラが駆動する。同じく、外付けマイクが接続された場合や、外付けスピーカが接続された場合には、ＣＰＵ１０１の制御に従って、それぞれが内蔵型のマイク１１４や内蔵型のスピーカ１１５に優先して、外付けマイクや外付けスピーカが駆動する。
【００５５】
また、記録メディア１０６は、ビデオ会議端末１３に対して着脱自在な構成となっている。また、ＣＰＵ１０１の制御にしたがってデータの読み出し又は書き込みを行う不揮発性メモリであれば、フラッシュメモリ１０４に限らず、ＥＥＰＲＯＭ等を用いてもよい。
【００５６】
＜＜電子黒板の画面例＞＞
図８乃至図１０を用いて、電子黒板２の画面例について説明する。図８乃至図１０は、電子黒板のディスプレイに表示された画面例である。電子黒板２はディスプレイ２２０上に、図８（Ａ）に示されているような描画画面２３０を表示させる。この描画画面２３０には、利用者によって電子ペン２５００等で描画された画像が表示される。また、描画画面２３０の右下部には、「メニュー」ボタン２３１及び「終了」ボタン２３７が表示されている。「メニュー」ボタン２３１は、電子黒板２の各種機能を実行する際に、利用者によって押下されるボタンである。「終了」ボタン２３７は、利用者がログアウトして画面表示を行なわないようにする際に、利用者によって押下されるボタンである。ここで、利用者が電子ペン２５００等により、「メニュー」ボタン２３１を押下すると、電子黒板２は、図８（Ｂ）に示されているように、描画画面２３０上に、各種機能を選択するためのメニュー選択画面２３２を表示させる。
【００５７】
メニュー選択画面２３２は、図８（Ｂ）に示されているように、「読み込み」ボタン２３４、「保存」ボタン２３５、「印刷」ボタン２３６、「メール送信」ボタン２３７、及び「ＱＲコード」ボタン２３９が表示されている。
【００５８】
これらのうち、「読み込み」ボタン２３４は、電子黒板２が、既に描画されてＳＳＤ２０４に保存されている描画像データを読み込んで、ディスプレイ２２０上に表示させるためのボタンである。「保存」ボタン２３５は、電子黒板２が、利用者によって描画された描画像を描画像データとしてＳＳＤ２０４に保存するためのボタンである。「印刷」ボタン２３６は、電子黒板２が描画画面２３０に表示されている描画像を、ＭＦＰ９等で印刷させるためのボタンである。「メール送信」ボタン２３７は、電子黒板２が利用者のＰＣ１０ａ，１０ｂ等に対して、描画画面２３０に表示されている描画像を描画像データとして電子メールに添付して送信するためのボタンである。「ＱＲコード」ボタン２３９は、電子黒板２がディスプレイ２２０上に自装置を識別するための装置ＩＤが埋め込まれたＱＲコード（登録商標）を表示するためのボタンである。
【００５９】
続いて、各ボタン２３４〜２３７，２３９がそれぞれ押下された場合に、電子黒板２が表示する画面について説明する。
【００６０】
利用者によって「読み込み」ボタン２３４が押下されると、電子黒板２はディスプレイ２２０上に、図９（Ａ）に示されているようなフォルダ選択画面２４０を表示させる。このフォルダ選択画面２４０には、読み込まれるファイルのフォルダを選択するための複数のフォルダアイコンが表示されている。利用者が電子ペン２５００を用いて所望のフォルダアイコン（例えば「フォルダ０１」）選択することで、電子黒板２はディスプレイ２２０上に、図９（Ｂ）に示されているようなファイル選択画面２４５を表示させる。このファイル選択画面２４５には、読み込まれるファイルを選択するための複数のファイルアイコンが表示されている。利用者が電子ペン２５００を用いて所望のファイルアイコンを選択することで、電子黒板２はディスプレイ２２０上に、選択されたファイルのデータに係る描画像を含む描画画面２３０を表示させる。
【００６１】
利用者によって「保存」ボタン２３５が押下されると、電子黒板２はディスプレイ２２０上に、図９（Ｃ）に示されているフォルダ選択画面２５０を表示させる。このフォルダ選択画面２５０には、保存するファイルのフォルダを選択するための複数のフォルダアイコンが表示されている。利用者は、電子ペン２５００を用いて所望のフォルダアイコン選択することで、保存するフォルダの選択が可能となる。
【００６２】
利用者によって「印刷」ボタン２３６が押下されると、電子黒板２はディスプレイ２２０上に、図９（Ｄ）に示されている印刷設定画面２６０を表示させる。この印刷設定画面２６０には、印刷者名、及び各種印刷パラメータが表示されている。印刷者名は、ログインした利用者の利用者名として表示される。また、各種印刷パラメータは、カラー又は白黒の選択、用紙サイズ（Ａ４、Ａ３等）の選択、印刷面（片面又は両面）の選択、部数の増減の選択の各メニュー２６１〜２６４によって表示されている。また、印刷設定画面２６０には、印刷装置を特定するための装置名（ここでは、「ＭＦＰ９」）が表示される。更に、印刷設定画面２６０には、印刷を開始する際に利用者によって押下される「印刷」ボタン２６７が表示される。なお、図９の各画面には、その画面から図８（Ａ）に示されている描画画面２３０に戻るための「キャンセル」ボタン２４９，２５９，２６９が表示されている。
【００６３】
利用者によって「印刷」ボタン２３６が押下されると、電子黒板２はディスプレイ２２０上に、図９（Ｄ）に示されている印刷設定画面２６０を表示させる。この印刷設定画面２６０には、各種印刷パラメータが表示されているとともに、設定変更できるプルダウンメニューが表示されている。この印刷設定画面２６０には、カラー又は白黒の選択、用紙サイズ（Ａ４、Ａ３等）の選択、印刷面（片面又は両面）の選択、部数の増減の選択の各メニュー２６１〜２６４が表示される。また、印刷設定画面２６０のフィールド２６５には、印刷装置を特定するための装置名（ここでは、「ＭＦＰ９」）が表示される。印刷設定画面２６０には、印刷を開始する際に利用者によって押下される「印刷」ボタン２６７が表示される。なお、図９の各画面には、その画面から図８（Ａ）に示されている描画画面２３０に戻るための「キャンセル」ボタン２４９，２５９，２６９が表示されている。
【００６４】
利用者Ａによって「メール送信」ボタン２３７が押下されると、電子黒板２ｘの表示制御部２４は、ディスプレイ２２０上に、図１０（Ａ）に示されている宛先設定画面２７０を表示させる。この宛先設定画面２７０には、既に登録された電子メールアドレスを表すための「登録アドレス帳」タブ２７１、及び、利用者が電子ペン２５００等で電子メールアドレスを直接入力するための「直接入力」タブ２７２が表示されている。ここでは、「登録アドレス帳」タブ２７１が選択されている場合が示されており、登録済みの電子メールアドレスを含む登録アドレス帳欄２７３が表示されている。
【００６５】
更に、登録アドレス帳欄２７３の下部には、実際に電子メールを送信する宛先を示す電子メールアドレスを表示するアドレス設定欄２７４が設けられている。ここでは、利用者Ａがログインすることで、後述のステップＳ１９によって送られて来た電子メールアドレス（例えば、「ＵＳＥＲ１＠・・・」）が表示されている。また、宛先設定画面２７０には、電子メールの送信を開始する際に利用者によって押下される「送信」ボタン２７７が表示されている。
【００６６】
なお、一般には利用者が表示させることができないが、管理者やサービスエンジニア等が表示させることができる画面として、電子黒板２はディスプレイ２２０上に、図１０（Ｂ）に示されている電子メール設定画面２８０を表示させることができる。この電子メール設定画面２８０は、サーバアドレス欄２８１、ポートナンバー欄２８２、メール送信者のアドレス欄２８３、認証要求欄２８４、アカウント欄２８５、及び、パスワード欄２８６を表示している。
【００６７】
これらのうち、サーバアドレス欄２８１は、メールサーバ７のＩＰアドレスが入力される欄である。ポートナンバー欄２８２は、メールサーバ７が電子メールの受け付けのために開放しているポート番号が入力される欄である。メール送信者のアドレス欄２８３には、メール送信元が電子黒板２であるとして、予め電子黒板２のメールアドレスが設定されている。即ち、予め設定されている送信元は、電子黒板２の利用者ではなく、電子黒板２である。認証要求欄２８４は、メールサーバ７に認証要求するか否かを設定するための欄である。アカウント欄２８５、及びパスワード欄２８６は、ＳＭＴＰ（Send Mail Transfer Protocol）によりメールサーバ７が電子黒板２を認証するためのアカウント情報である。
【００６８】
利用者によって「ＱＲコード」ボタン２３９が押下されると、電子黒板２はディスプレイ２２０上に、図１０（Ｃ）に示されているＱＲコード表示画面２９０を表示させる。このＱＲコード表示画面２９０には、電子黒板２（自装置）を識別するための装置ＩＤが示されたＱＲコード２９１が表示されている。例えば、利用者は、スマートフォン等のＱＲコードの読み取りアプリケーションを利用して、ＱＲコード２９１を読み取ることで、電子黒板２の装置ＩＤを取得することができる。ＱＲコード表示画面２９０には、ＱＲコード表示画面２９０から描画画面２３０に戻るための「終了」ボタン２９７が表示されている。図１０（Ａ），（Ｂ）の各画面には、その画面から図８（Ａ）に示されている描画画面２３０に戻るための「キャンセル（Cancel）」ボタン２７９，２８９が表示されている。
【００６９】
一方、図８（Ａ）に戻って、利用者が電子ペン２５００等により、「終了」ボタン２３７を押下すると、電子黒板２は、図８（Ｃ）に示されているように、描画画面２３０上に、ログアウトして表示を終了するための終了画面２３８を表示させる。
【００７０】
終了画面２３８は、図８（Ｃ）に示されているように、「一次保存して終了」ボタン２３８ａ、「終了」ボタン２３８ｂ、及び「キャンセル」ボタン２３８ｃが表示されている。
【００７１】
これらのうち、「一次保存して終了」ボタン２３８ａは、描画像データを一次保存するとともにログアウト及び表示の終了を行なうためのボタンである。「終了」ボタン２３８ｂは、そのままログアウト及び表示の終了を行なうためのボタンである。即ち、次にログインした場合には、描画像データは表示されない。「キャンセル」ボタン２３８ｃは、終了画面の表示を止めて、図８（Ａ）に示されている元の描画画面２３０に戻るためのボタンである。
【００７２】
なお、上記各ＩＤは、識別情報の一例である。即ち、装置ＩＤは、装置識別情報の一例である。端末ＩＤは、端末識別情報の一例である。利用者ＩＤは、利用者識別情報の一例である。また、装置識別情報及び端末識別情報には、製造番号も含まれる。また、利用者識別情報には、社員番号、運転免許証番号、日本の社会保障・税番号制度におけるマイナンバー等が含まれる。
【００７３】
また、上記各プログラムは、インストール可能な形式又は実行可能な形式のファイルで、コンピュータで読み取り可能な記録媒体に記録して流通させるようにしてもよい。記録媒体の例として、ＣＤ−Ｒ(Compact Disc Recordable)、ＤＶＤ(Digital Versatile Disk)、ブルーレイディスク、ＳＤカード等が挙げられる。また、記録媒体は、プログラム製品(Program Product)として、国内又は国外へ提供されることができる。
【００７４】
更に、各サーバ５，６，７，８は、それぞれ単一のコンピュータによって構築されてもよいし、各部（機能、手段、又は記憶部）を分割して任意に割り当てられた複数のコンピュータによって構築されていてもよい。
【００７５】
＜＜通信システムの機能構成＞＞
続いて、図１１及び図１２を用いて、本実施形態の機能構成について説明する。図１１は、通信システムの機能ブロック図である。なお、図１１では、図１に示されている各端末、装置、サーバのうち、後述の処理または動作に関連しているものが示されている。
【００７６】
＜電子黒板の機能構成＞
図１１に示されているように、電子黒板２は、送受信部２１、受付部２２、画像・音処理部２３、表示制御部２４、判断部２５、作成部２６ａ、作成部２６ｂ、設定部２７、取得・提供部２８、記憶・読出処理部２９を有している。これら各部は、図２に示されている各構成要素のいずれかが、ＳＳＤ２０４からＲＡＭ２０３上に展開された電子黒板用プログラムに従ったＣＰＵ２０１からの命令によって動作することで実現される機能、又は機能する手段である。また、電子黒板２は、図２に示されているＲＡＭ２０３及びＳＳＤ２０４によって構築される記憶部２０００を有している。
【００７７】
（電子黒板の各機能構成）
次に、電子黒板２の各構成要素について説明する。送受信部２１は、図２に示されているＣＰＵ２０１からの命令、並びにネットワークＩ／Ｆ２０５及び外部機器接続Ｉ／Ｆ２０６によって実現され、通信ネットワーク１００を介して他の端末、装置又はシステムと各種データ（または情報）の送受信を行う。
【００７８】
受付部２２は、主に、図２に示されているＣＰＵ２０１からの命令、並びに接触センサ２１４及び電子ペンコントローラ２１６によって実現され、利用者による各種入力を受け付ける。
【００７９】
画像・音処理部２３は、図２に示されているＣＰＵ２０１からの命令によって実現され、カメラ２４００が被写体を撮像して得た画像データに対して画像処理を行なう。また、画像・音処理部２３は、マイク２２００によって利用者の音声が音声信号に変換された後、この音声信号に係る音データに対して音声処理を行なう。更に、画像・音処理部２３は、音データに係る音声信号をスピーカ２３００に出力し、スピーカ２３００から音声を出力させる。また、画像・音処理部２３は、利用者によって電子ペン２５００や手Ｈでディスプレイ２２０上に描画されることで得た描画像データを座標データに変換する処理を行なう。例えば、電子黒板２ｘが、他の拠点の電子黒板２ｙに座標データを送信すると、電子黒板２ｙは、座標データに基づいて他の電子黒板２ｙ側のディスプレイ２２０上に同じ内容の描画を表示する。
【００８０】
表示制御部２４は、図２に示されているＣＰＵ２０１からの命令、及び図２に示されているディスプレイコントローラ２１３によって実現され、ディスプレイ２２０に描画像を表示させる。
【００８１】
判断部２５は、図２に示されているＣＰＵ２０１からの命令によって実現され、ＩＣカード３やスマートフォン４から、端末ＩＤを取得したかの判断等を行なう。
【００８２】
作成部２６ａは、図２に示されているＣＰＵ２０１からの命令によって実現され、利用者による描画によって得られたビットマップ形式の描画像データから、ＲＰＣＳ形式の画像データを作成する。なお、ＲＰＣＳ形式だけでなく、ＰＤＬ形式、又はＰＳ形式であてもよい。また、作成部２６ｂは、図２に示されているＣＰＵ２０１からの命令によって実現され、利用者による描画によって得られたビットマップ形式の描画像データから、ＰＤＦ形式の画像データを作成する。
【００８３】
設定部２７は、図２に示されているＣＰＵ２０１からの命令によって実現され、例えば、電子メールの送信元及び送信先の設定や、印刷データの印刷者名の設定を行なう。
【００８４】
取得・提供部２８は、図２に示されているＣＰＵ２０１からの命令、及び近距離通信回路２１９及びアンテナ２１９ａによって実行され、ＩＣカード３又はスマートフォン４との間で、近距離通信により、データの取得及び提供を行なう。
【００８５】
記憶・読出処理部２９は、図２に示されているＣＰＵ２０１からの命令及びＳＳＤ２０４によって実行され、記憶部２０００又は記録媒体２１００に各種データを記憶したり、記憶部２０００又は記録媒体２１００に記憶された各種データを読み出したりする処理を行う。更に、記憶部２０００には、他の電子黒板やビデオ会議端末との通信を行う際に受信される画像データ及び音データが、受信される度に上書き記憶される。このうち、上書きされる前の画像データによってディスプレイ２２０に画像が表示され、上書きされる前の音データによってスピーカ２３００から音声が出力される。記録媒体２１００は、図２に示されているＵＳＢメモリ２６００によって実現される。
【００８６】
＜ＩＣカードの機能構成＞
図１１に示されているように、ＩＣカード３は、取得・提供部３８、記憶・読出処理部３９を有している。これら各部は、図３に示されている各構成要素のいずれかが、ＥＥＰＲＯＭ３１４からＲＡＭ３１３上に展開されたＩＣカード用プログラムに従ったＣＰＵ３１１からの命令によって動作することで実現される機能、又は機能する手段である。また、ＩＣカード３は、図３に示されているＲＡＭ３１３及びＥＥＰＲＯＭ３１４によって構築される記憶部３０００を有している。
【００８７】
（ＩＣカードの各機能構成）
次に、ＩＣカード３の各構成要素について説明する。取得・提供部３８は、図３に示されているＣＰＵ３１１からの命令、アンテナコイル３３０によって実行され、電子黒板２との間で、近距離通信により、データの取得及び提供を行なう。
【００８８】
記憶・読出処理部３９は、図３に示されているＣＰＵ３１１からの命令によって実行され、記憶部３０００に各種データを記憶したり、記憶部３０００に記憶された各種データを読み出したりする処理を行う。更に、記憶部３０００には、専有端末の一例としてのＩＣカードを識別するための端末ＩＤが記憶されている。
【００８９】
＜スマートフォンの機能構成＞
図１１に示されているように、スマートフォン４は、取得・提供部４８、記憶・読出処理部４９を有している。これら各部は、図４に示されている各構成要素のいずれかが、ＥＥＰＲＯＭ４０４からＲＡＭ４０３上に展開されたスマートフォン用プログラムに従ったＣＰＵ４０１からの命令によって動作することで実現される機能、又は機能する手段である。また、スマートフォン４は、図４に示されているＲＡＭ４０３及びＥＥＰＲＯＭ４０４によって構築される記憶部４０００を有している。
【００９０】
（スマートフォンの各機能構成）
次に、スマートフォン４の各構成要素について説明する。取得・提供部４８は、図４に示されているＣＰＵ４０１からの命令、近距離通信回路４１９、アンテナ４１９ａによって実行され、電子黒板２との間で、近距離通信により、データの取得及び提供を行なう。
【００９１】
記憶・読出処理部４９は、図４に示されているＣＰＵ４０１からの命令によって実行され、記憶部４０００に各種データを記憶したり、記憶部４０００に記憶された各種データを読み出したりする処理を行う。なお、記憶部４０００には、専有端末の一例としてのスマートフォン４を識別するための端末ＩＤが記憶されている。
【００９２】
＜端末管理サーバの機能構成＞
端末管理サーバ５は、送受信部５１、認証部５２、判断部５５、及び記憶・読出処理部５９を有している。これら各部は、図５に示されている各構成要素のいずれかが、ＨＤ５０４からＲＡＭ５０３上に展開された端末管理用プログラムに従ったＣＰＵ５０１からの命令によって動作することで実現される機能又は機能する手段である。また、端末管理サーバ５は、図５に示されているＨＤ５０４により構築される記憶部５０００を有している。
【００９３】
（端末管理テーブル）
図１２（Ａ）は、端末管理テーブルを示す概念図である。記憶部５０００には、図１２（Ａ）に示されているような端末管理テーブルによって構成されている端末管理ＤＢ５００１が構築されている。この端末管理テーブルでは、端末管理サーバ５によって管理される全ての専有端末（ＩＣカード３、スマートフォン４）を識別するための各端末ＩＤに対して、各専有端末の所有者である利用者を識別するための利用者ＩＤ、及び利用者名が関連付けられて管理される。
【００９４】
（端末管理サーバの各機能構成）
次に、端末管理サーバ５の各機能構成について詳細に説明する。なお、以下では、端末管理サーバ５の各機能構成を説明するにあたって、図５に示されている各構成要素のうち、端末管理サーバ５の各機能構成を実現させるための主な構成要素との関係も説明する。
【００９５】
図１１に示されている端末管理サーバ５の送受信部５１は、図５に示されているＣＰＵ５０１からの命令、及び図５に示されているネットワークＩ／Ｆ５０９によって実現され、通信ネットワーク１００を介して他の端末、装置、又はシステムと各種データ（または情報）の送受信を行う。
【００９６】
認証部５２は、図５に示されているＣＰＵ５０１からの命令によって実現され、電子黒板２から送られて来る端末ＩＤが、予め登録されている利用者の専有端末（ＩＣカード３、スマートフォン４）であるかを判断する。
【００９７】
判断部５５は、図５に示されているＣＰＵ５０１からの命令によって実現され、各種判断を行なう。
【００９８】
記憶・読出処理部５９は、図５に示されているＣＰＵ５０１からの命令、及び図５に示されているＨＤＤ５０５によって実現され、記憶部５０００に各種データを記憶したり、記憶部５０００に記憶された各種データを読み出したりする処理を行う。
【００９９】
＜宛先管理サーバの機能構成＞
宛先管理サーバ６は、送受信部６１、及び記憶・読出処理部６９を有している。これら各部は、図１１に示されている各構成要素のいずれかが、ＨＤ５０４からＲＡＭ５０３上に展開された宛先管理用プログラムに従ったＣＰＵ５０１からの命令によって動作することで実現される機能又は機能する手段である。また、宛先管理サーバ６は、図５に示されているＨＤ５０４により構築される記憶部６０００を有している。
【０１００】
（宛先管理テーブル）
図１２（Ｂ）は、宛先管理テーブルを示す概念図である。記憶部６０００には、図１２（Ｂ）に示されているような宛先管理テーブルによって構成されている宛先管理ＤＢ６００１が構築されている。この宛先管理テーブルでは、宛先管理サーバ６によって管理される全ての利用者を識別するための各利用者ＩＤに対して、各利用者のＰＣ１０の電子メールアドレスが関連付けられて管理される。
【０１０１】
（宛先管理サーバの各機能構成）
次に、宛先管理サーバ６の各機能構成について詳細に説明する。なお、以下では、宛先管理サーバ６の各機能構成を説明するにあたって、図５に示されている各構成要素のうち、宛先管理サーバ６の各機能構成を実現させるための主な構成要素との関係も説明する。
【０１０２】
図１１に示されている宛先管理サーバ６の送受信部６１は、図５に示されているＣＰＵ５０１からの命令、及び図５に示されているネットワークＩ／Ｆ５０９によって実現され、通信ネットワーク１００を介して他の端末、装置、又はシステムと各種データ（または情報）の送受信を行う。
【０１０３】
記憶・読出処理部６９は、図５に示されているＣＰＵ５０１からの命令、及び図５に示されているＨＤＤ５０５によって実現され、記憶部６０００に各種データを記憶したり、記憶部６０００に記憶された各種データを読み出したりする処理を行う。
【０１０４】
＜メールサーバの機能構成＞
メールサーバ７は、送受信部７１、及び記憶・読出処理部７９を有している。これら各部は、図１１に示されている各構成要素のいずれかが、ＨＤ５０４からＲＡＭ５０３上に展開された宛先管理用プログラムに従ったＣＰＵ５０１からの命令によって動作することで実現される機能又は機能する手段である。また、メールサーバ７は、図５に示されているＨＤ５０４により構築される記憶部７０００を有している。
【０１０５】
（メールサーバの各機能構成）
次に、メールサーバ７の各機能構成について詳細に説明する。なお、以下では、メールサーバ７の各機能構成を説明するにあたって、図５に示されている各構成要素のうち、メールサーバ７の各機能構成を実現させるための主な構成要素との関係も説明する。
【０１０６】
図１１に示されているメールサーバ７の送受信部７１は、図５に示されているＣＰＵ５０１からの命令、及び図５に示されているネットワークＩ／Ｆ５０９によって実現され、通信ネットワーク１００を介して他の端末、装置、又はシステムと各種データ（または情報）の送受信を行う。
【０１０７】
記憶・読出処理部７９は、図５に示されているＣＰＵ５０１からの命令、及び図５に示されているＨＤＤ５０５によって実現され、記憶部７０００に各種データを記憶したり、記憶部７０００に記憶された各種データを読み出したりする処理を行う。
【０１０８】
＜印刷サーバの機能構成＞
印刷サーバ８は、送受信部８１、及び記憶・読出処理部８９を有している。これら各部は、図１１に示されている各構成要素のいずれかが、ＨＤ５０４からＲＡＭ５０３上に展開された印刷管理用プログラムに従ったＣＰＵ５０１からの命令によって動作することで実現される機能又は機能する手段である。また、印刷サーバ８は、図５に示されているＨＤ５０４により構築される記憶部８０００を有している。この記憶部８０００には、電子黒板２等から送られて来た画像に係るデータ（ここでは、印刷データ）が記憶される。
【０１０９】
（印刷データ管理テーブル）
図１２（Ｃ）は、印刷データ管理テーブルを示す概念図である。記憶部８０００には、図１２（Ｃ）に示されているような印刷データ管理テーブルによって構成されている印刷データ管理ＤＢ８００１が構築されている。この印刷データ管理テーブルでは、各専有端末の所有者である利用者を識別するための利用者名、利用者が印刷するための画像に係るデータ（ここでは、印刷データ）のファイル名、及び印刷設定パラメータが関連付けられて管理される。
【０１１０】
（印刷サーバの各機能構成）
次に、印刷サーバ８の各機能構成について詳細に説明する。なお、以下では、印刷サーバ８の各機能構成を説明するにあたって、図５に示されている各構成要素のうち、印刷サーバ８の各機能構成を実現させるための主な構成要素との関係も説明する。
【０１１１】
図１１に示されている印刷サーバ８の送受信部８１は、図５に示されているＣＰＵ５０１からの命令、及び図５に示されているネットワークＩ／Ｆ５０９によって実現され、通信ネットワーク１００を介して他の端末、装置、又はシステムと各種データ（または情報）の送受信を行う。
【０１１２】
記憶・読出処理部８９は、図５に示されているＣＰＵ５０１からの命令、及び図５に示されているＨＤＤ５０５によって実現され、記憶部８０００に各種データを記憶したり、記憶部８０００に記憶された各種データを読み出したりする処理を行う。
【０１１３】
＜ＭＦＰの機能構成＞
図１１に示されているように、ＭＦＰ９は、送受信部９１、受付部９２、印刷部９３、表示制御部９４、判断部９５、取得・提供部９８、及び記憶・読出処理部８９を有している。これら各部は、図５に示されている各構成要素のいずれかが、ＲＡＭ９０２ｂ上に展開された印刷用プログラムに従ったＣＰＵ９０１からの命令によって動作することで実現される機能又は機能する手段である。また、ＭＦＰ９は、図６に示されているＨＤ５０４により構築される記憶部９０００を有している。
【０１１４】
（ＭＦＰの各機能構成）
次に、ＭＦＰ９の各機能構成について詳細に説明する。なお、以下では、ＭＦＰ９の各機能構成を説明するにあたって、図６に示されている各構成要素のうち、ＭＦＰ９の各機能構成を実現させるための主な構成要素との関係も説明する。
【０１１５】
図１１に示されているＭＦＰ９の送受信部９１は、主に、図６に示されているＣＰＵ９０１からの命令、及び図６に示されているネットワークＩ／Ｆ９５０によって実現され、通信ネットワーク１００を介して他の端末、装置、又はシステムと各種データ（または情報）の送受信を行う。
【０１１６】
受付部９２は、主に、図６に示されているＣＰＵ９０１からの命令、及び操作パネル９４０によって実現され、利用者による各種入力を受け付ける。
【０１１７】
印刷部９３は、主に、図６に示されているＣＰＵ９０１からの命令、及びプリンタ部９３２によって実現され、画像に係るデータ（印刷データ）を印刷する。
【０１１８】
表示制御部９４は、主に、図６に示されているＣＰＵ９０１からの命令、及び操作パネル９４０によって実現され、コピー処理時におけるカラー印刷又は白黒印刷等の印刷設定パラメータを表示する。
【０１１９】
判断部９５は、主に、図６に示されているＣＰＵ９０１からの命令によって実現され、例えば、端末管理サーバ５から送られて来る認証結果が、正当なＩＣカード（端末ＩＤ）であるかを判断する。
【０１２０】
取得・提供部９８は、図６に示されているＣＰＵ９０１からの命令、及び近距離通信回路９２０及びアンテナ２２０ａによって実行され、ＩＣカード３又はスマートフォン４との間で、近距離通信により、データの取得及び提供を行なう。
【０１２１】
記憶・読出処理部９９は、図６に示されているＣＰＵ９０１からの命令及びＨＤＤ９０８によって実行され、記憶部９０００に各種データを記憶したり、記憶部９０００に記憶された各種データを読み出したりする処理を行う。
利用者による各種入力を受け付ける。
【０１２２】
＜ＰＣの機能構成＞
図１１に示されているように、ＰＣ１０は、送受信部１１、受付部１２、表示制御部１４、及び記憶・読出処理部１９を有している。これら各部は、図５に示されている各構成要素のいずれかが、ＨＤ５０４からＲＡＭ５０３上に展開された端末用プログラムに従ったＣＰＵ５０１からの命令によって動作することで実現される機能又は機能する手段である。また、ＰＣ１０は、図５に示されているＨＤ５０４により構築される記憶部１０００を有している。
【０１２３】
（ＰＣの各機能構成）
次に、ＰＣ１０の各構成要素について説明する。図１１に示されているＰＣ１０の送受信部１１は、図５に示されているＣＰＵ５０１からの命令、及び図５に示されているネットワークＩ／Ｆ５０９によって実現され、通信ネットワーク１００を介して他の端末、装置、又はシステムと各種データ（または情報）の送受信を行う。
【０１２４】
受付部１２は、主に、図５に示されているＣＰＵ５０１からの命令、並びにキーボード５１１、及びマウス５１２によって実現され、利用者による各種入力を受け付ける。
【０１２５】
表示制御部１４は、図５に示されているＣＰＵ５０１からの命令によって実現され、ディスプレイ５０８に描画像等を表示させる。
【０１２６】
記憶・読出処理部１９は、図５に示されているＣＰＵ５０１からの命令及びＨＤＤ５０５によって実行され、記憶部１０００又は記録媒体１１００に各種データを記憶したり、記憶部１０００又は記録媒体１１００に記憶された各種データを読み出したりする処理を行う。記録媒体１１００は、図５に示されている記録メディア５０６によって実現される。
【０１２７】
＜＜実施形態の処理または動作＞＞
以降、実施形態の処理または動作について説明する。ここでは、図１において、ある会議室で利用者Ａ，Ｂが電子黒板２ｘを利用して会議している場合であって、利用者Ａがログイン処理して、利用者Ａ，Ｂによる描画後に、電子黒板２ｘから各ＰＣ１０ａ，１０ｂに描画像等の画像に係るデータを送信する場合等について説明する。
【０１２８】
＜ログイン処理＞
まずは、図１３至図１６を用いて、利用者Ａが電子黒板２ｘに対して行なうログイン処理について説明する。図１３は、ログイン処理を示したシーケンス図である。図１４は、電子黒板のディスプレイに表示された画面例である。図１５は、利用者が電子黒板を利用する状態を示したイメージ図である。
【０１２９】
図１５に示されているように、利用者Ａは電子黒板２ｘの電源スイッチ２２２を押下すると、表示制御部２４が、図１４（Ａ）に示されているように、ディスプレイ２２０上にログイン画面１７０を表示する（ステップＳ１１）。次に、図１５に示されているように、利用者Ａが、電子黒板２ｘの近距離通信部２２１に、自己のＩＣカード３を近接する（かざす）と、電子黒板２ｘの取得・提供部２８が、ＩＣカード３の取得・提供部３８からＩＣカードの端末ＩＤを取得する（ステップＳ１２）。そして、電子黒板２ｘの送受信部２１は、端末管理サーバ５に対して、ログイン認証の要求を送信する（ステップＳ１３）。このログイン認証の要求には、ステップＳ１２によって取得された端末ＩＤが含まれている。これにより、端末管理サーバ５の送受信部５１は、ログイン認証の要求を受信する。
【０１３０】
次に、端末管理サーバ５の認証部５２は、端末ＩＤを利用してＩＣカード３のログイン認証を行なう（ステップＳ１４）。具体的には、記憶・読出処理部５９は、ステップＳ１３によって受信された端末ＩＤを検索キーとして、端末管理テーブル（図１２（Ａ）参照）において、端末ＩＤに対応する利用者ＩＤを検索する。対応する利用者ＩＤがある場合には、認証部５２は、正当なＩＣカード（端末ＩＤ）であると判断する。対応する利用者ＩＤがない場合には、認証部５２は、正当なＩＣカード（端末ＩＤ）ではないと判断する。
【０１３１】
次に、端末管理サーバ５の送受信部５１は、電子黒板２ｘに対して、認証結果を送信する（ステップＳ１５）。認証部５２が正当なＩＣカードであると判断した場合には、認証結果に、正当である旨を示す情報、利用者ＩＤ及び利用者名が含まれている。また、認証部５２が正当なＩＣカードでないと判断した場合には、認証結果に、正当でない旨を示す情報が含まれている。これにより、電子黒板２ｘの送受信部２１は、認証結果を受信する。
【０１３２】
次に、電子黒板２ｘは、認証結果に基づく処理を行なう（ステップＳ１６）。ここで、図１６を用いて、ステップＳ１６の認証結果に基づく処理について詳細に説明する。図１６は、ログインする場合の認証結果に基づく処理示すフローチャートである。
【０１３３】
図１６に示されているように、判断部２５は、ステップＳ１５によって受信された認証結果が正当である旨を示す情報であるか（即ち、ステップＳ１３によって送信された端末ＩＤが正当であるか）を判断する（ステップＳ１６−１）。そして、判断部２５が正当である旨を示す情報でないと判断した場合、即ちログインに失敗したと判断した場合には（ＮＯ）、表示制御部２４が、ディスプレイ２２０上に、図１４（Ｂ）に示されているように、エラー画面１８０を表示する（ステップＳ１６−２）。また、判断部２５が正当である旨を示す情報であると判断した場合、即ちログインに成功したと判断した場合には（ＹＥＳ）、設定部２７は、ログインした利用者（ここでは、利用者Ａ）を印刷者として設定する（ステップＳ１６−３）。そして、ステップＳ１７の処理に進む。以降、正当である場合に関して、説明を続ける。
【０１３４】
電子黒板２ｘの送受信部２１は、宛先管理サーバ６に対して、電子メールアドレスの要求を送信する（ステップＳ１７）。この要求には、上記ステップＳ１５によって受信された利用者ＩＤが含まれている。これにより、宛先管理サーバ６の送受信部６１は、電子メールアドレスの要求を受信する。
【０１３５】
次に、宛先管理サーバ６では、記憶・読出処理部６９が、ステップＳ３７によって受信された利用者ＩＤを検索キーとして、宛先管理テーブル（図１２（Ｂ）参照）を検索することにより、対応する電子メールアドレスを読み出す（ステップＳ１８）。そして、送受信部６１は、電子黒板２ｘに対して要求結果を送信する（ステップＳ１９）。この要求結果には、ステップＳ１８によって読み出された電子メールアドレスが含まれている。これにより、電子黒板２ｘの送受信部２１は、要求結果を受信する。
【０１３６】
次に、電子黒板２ｘの設定部２７は、電子メールの送信元と送信先を設定する（ステップＳ２０）。これにより、表示制御部２４が、図１０（Ｂ）に示されている電子メール設定画面２８０を表示すると、送信元のメールアドレス欄２８３には、電子黒板２のメールアドレスから、ログインした利用者の電子メールアドレスに切り替えて表示する。また、表示制御部２４が、図１０（Ａ）に示されている電子メール設定画面２８０を表示すると、アドレス設定欄２７４には、ログインした利用者の電子メールアドレスを表示する。
【０１３７】
次に、表示制御部２４は、ディスプレイ２２０上に、図１４（Ｃ）に示されているように、「ようこそ、Ｋａｔｏさん」等の描画を開始することができる旨を示すティッカー(Ticker)による表示を行なう。この「Ｋａｔｏ」の文字は、ステップＳ１５によって受信された利用者名が利用されている。以上によって、利用者Ａ，Ｂは、電子黒板２ｘに描画を行なうことができる。
【０１３８】
＜電子メールの送信＞
続いて、図１７乃至図１８を用いて、利用者Ａ，Ｂが、電子黒板２ｘから、それぞれ自己のＰＣ１０ａ，１０ｂに対して、描画像データを添付した電子メールを送信する処理について説明する。図１７は、電子メールで描画像データを送信する場合の処理を示すシーケンス図である。図１８は、電子メールで描画像データを送信する場合の認証結果に基づく処理を示すフローチャートである。
【０１３９】
利用者Ａ，Ｂが、電子ペン２５００を用いて、電子黒板２ｘに描画しながら会議を進めた後、利用者Ａが電子ペン２５００等で図８（Ｂ）に示されている「メニュー」ボタン２３１を押下し、更に、「メール送信」ボタン２３７を押下することで、表示制御部２４はディスプレイ２２０上に図１０（Ａ）に示されている宛先設定画面２７０を表示する（ステップＳ３１）。このように、宛先設定画面２７０を表示させた場合、図１０（Ａ）に示されているように、初めからアドレス設定欄２７４には、ログインした利用者Ａの電子メールアドレスが表示される。なお、「直接入力」タブ２７２を選択して、電子ペン２５００等で自己の電子メールアドレスを入力してもよい。
【０１４０】
次に、ログインしていない利用者Ｂも自分の電子メールアドレスを宛先に含めたい場合には、電子黒板２の近距離通信部２２１に自己のスマートフォン４を近接することで、電子黒板２ｘの取得・提供部２８が、スマートフォン４の取得・提供部４８からスマートフォン４（専有端末の一例）を識別するための端末ＩＤを取得する（ステップＳ３２）。
【０１４１】
次に、電子黒板２ｘの送受信部２１は、端末管理サーバ５に対して、スマートフォン４の認証要求を送信する（ステップＳ３３）。この認証要求には、取得・提供部２８によって取得されたスマートフォン４の端末ＩＤが含まれている。これにより、端末管理サーバ５の送受信部５１は、認証要求を受信する。
【０１４２】
次に、端末管理サーバ５の認証部５２は、端末ＩＤを利用してスマートフォン４の認証を行なう（ステップＳ３４）。具体的には、記憶・読出処理部５９は、ステップＳ３３によって受信された端末ＩＤを検索キーとして、端末管理テーブル（図１２（Ａ）参照）において、端末ＩＤに対応する利用者ＩＤを検索する。対応する利用者ＩＤがある場合には、認証部５２は、正当なスマートフォン４（端末ＩＤ）であると判断する。対応する利用者ＩＤがない場合には、認証部５２は、正当なスマートフォン４（端末ＩＤ）ではないと判断する。
【０１４３】
次に、端末管理サーバ５の送受信部５１は、電子黒板２ｘに対して、認証結果を送信する（ステップＳ３５）。認証部５２が正当なスマートフォン（端末ＩＤ）であると判断した場合には、認証結果に、正当である旨を示す情報、利用者ＩＤ、及び利用者名が含まれている。また、認証部５２が正当なスマートフォン（端末ＩＤ）でないと判断した場合には、認証結果に、正当でない旨を示す情報が含まれている。これにより、電子黒板２ｘの送受信部２１は、認証結果を受信する。
【０１４４】
次に、電子黒板２ｘは、認証結果に基づく処理を行なう（ステップＳ３６）。ここで、図１８を用いて、ステップＳ３６の認証結果に基づく処理について詳細に説明する。図１８は、電子メールで描画像データを送信する場合の認証結果に基づく処理を示すフローチャートである。
【０１４５】
図１８に示されているように、判断部２５は、ステップＳ３５によって受信された検討結果が正当である旨を示す情報であるか（即ち、ステップＳ３３によって送信された端末ＩＤが正当であるか）を判断する（ステップＳ３６−１）。そして、判断部２５が正当である旨を示す情報でないと判断した場合には（ＮＯ）、表示制御部２４が、ディスプレイ２２０上に、図１４（Ｂ）に示されているように、エラー画面１８０を表示する（ステップＳ３６−２）。また、判断部２５が正当である旨を示す情報であると判断した場合には（ＹＥＳ）、更に、ステップＳ３５によって受信された利用者ＩＤが、ログインしている利用者Ａの利用者ＩＤと同じであるかを判断する（ステップＳ３６−３）。そして、判断部２５が、同じであると判断した場合には（ＹＥＳ）、後述のステップＳ４１に進む。一方、判断部２５が、同じでないと判断した場合には（ＮＯ）、電子黒板２ｘの送受信部２１は、宛先管理サーバ６に対して、電子メールアドレスの要求を送信する（ステップＳ３７）。この要求には、上記ステップＳ３５によって受信された利用者ＩＤが含まれている。ここでは、利用者Ｂの利用者ＩＤである。これにより、宛先管理サーバ６の送受信部６１は、電子メールアドレスの要求を受信する。
【０１４６】
次に、宛先管理サーバ６では、記憶・読出処理部６９が、ステップＳ３７によって受信された利用者ＩＤを検索キーとして、宛先管理テーブル（図１２（Ｂ）参照）を検索することにより、対応する電子メールアドレスを読み出す（ステップＳ３８）。そして、送受信部６１は、電子黒板２ｘに対して要求結果を送信する（ステップＳ３９）。この要求結果には、ステップＳ３８によって読み出された電子メールアドレスが含まれている。これにより、電子黒板２ｘの送受信部２１は、要求結果を受信する。
【０１４７】
次に、電子黒板２ｘの表示制御部２４は、図１４（Ｄ）に示されているように、アドレス設定欄２７４に、既に表示している利用者Ａの電子メールアドレス(USER1@・・・)に加え、新たに利用者Ｂの電子メールアドレス(USER2@・・・)を追加表示する（ステップＳ４０）。
【０１４８】
続いて、電子黒板２ｘの受付部２２が、利用者Ａ又は利用者Ｂによって「送信」ボタン２７７の押下を受けると、電子黒板２ｘの作成部２６ａは、ビットマップ形式である描画像データから、ＰＤＦ形式の画像データを作成する（ステップＳ４１）。そして、送受信部２１は、メールサーバ７に対して、ステップＳ４１で作成された画像データを添付した電子メールを送信する（ステップＳ４２）。これにより、メールサーバ７の送受信部７１は、ＰＤＦ形式の画像データが添付されている電子メールを受信する。この際、電子メールには、送信元として、ログインした利用者Ａの電子メールアドレス、及び送信先（宛先）として、ログインした利用者Ａの電子メールアドレスが含まれている。また、利用者Ｂが近距離通信部２２１にスマートフォン４を近接していた場合には、送信先（宛先）として、ログインしていない利用者Ｂの電子メールアドレスも含まれている。即ち、この場合、ステップＳ２０により、送信元が電子黒板２ｘではなく利用者Ａの電子メールアドレスに変更されているため、利用者Ａとしては、自分から自分に電子メールアドレスを送信することになる。また、利用者Ｂとしては、利用者Ａから自分に電子メールアドレスが届くことになる。以降、利用者Ｂの電子メールアドレスも含まれている場合について説明を続ける。
【０１４９】
メールサーバ７の送受信部７１は、ＰＣ１０ａ，１０ｂに対して、ＰＤＦ形式の画像データが添付された電子メールを送信する。（ステップＳ４３，Ｓ４４）。この際、電子メールには、利用者Ａである送信元の電子メールアドレス、及び上記ステップＳ３９によって受信された各電子メールアドレスであり送信先のＰＣ１０ａ，１０ｂの各電子メールアドレスが含まれている。これにより、ＰＣ１０ａ，１０ｂは、それぞれＰＤＦ形式の画像データが添付された電子メールを受信する。
【０１５０】
＜描画像データの印刷＞
続いて、図１９乃至図２３を用いて、利用者Ａ，Ｂによる描画後に、電子黒板２ｘから印刷サーバ８を介してＭＦＰ９に描画像データを送信し、最終的に印刷する場合について説明する。図１９は、描画像データの印刷準備処理を示したシーケンス図である。図２０は、印刷する場合の認証結果に基づく処理を示すフローチャートである。図２１は、印刷設定画面の表示例を示した図である。
【０１５１】
利用者Ａ，Ｂが、電子ペン２５００を用いて、電子黒板２ｘに描画しながら会議を進めた後、利用者Ａが電子ペン２５００等で図８（Ｂ）に示されている「メニュー」ボタン２３１を押下し、更に、「印刷」ボタン２３６を押下することで、表示制御部２４はディスプレイ２２０上に図９（Ｄ）に示されている印刷設定画面２６０を表示する（ステップＳ５１）。また、設定部２７が、ログインした利用者Ａの利用者名を印刷者名として設定し、表示制御部２４が、印刷設定画面２６０に、ログインした利用者Ａの利用者名を印刷者名として表示している。
【０１５２】
次に、図１５に示されているように、利用者Ａは、自己のＩＣカード３を電子黒板２ｘの近距離通信部２２１に近づけると、電子黒板２の取得・提供部２８が、ＩＣカードの取得・提供部３８からＩＣカード３（専有端末の一例）を識別するための端末ＩＤを取得する（ステップＳ５２）。そして、電子黒板２ｘの送受信部２１は、端末管理サーバ５に対して、ＩＣカード３の認証要求を送信する（ステップＳ５３）。この認証要求には、取得・提供部２８によって取得されたＩＣカード３の端末ＩＤが含まれている。これにより、端末管理サーバ５の送受信部５１は、認証要求を受信する。
【０１５３】
次に、端末管理サーバ５の認証部５２は、端末ＩＤを利用してＩＣカード３の認証を行なう（ステップＳ５４）。具体的には、記憶・読出処理部５９は、ステップＳ５３によって受信された端末ＩＤを検索キーとして、端末管理テーブル（図１２（Ａ））において、端末ＩＤに対応する利用者名を検索する。対応する利用者名がある場合には、認証部５２は、正当なＩＣカード（端末ＩＤ）であると判断する。対応する利用者名がない場合には、認証部５２は、正当なＩＣカード（端末ＩＤ）ではないと判断する。
【０１５４】
次に、端末管理サーバ５の送受信部５１は、電子黒板２ｘに対して、認証結果を送信する（ステップＳ５５）。認証部５２が正当なＩＣカードであると判断した場合には、認証結果に、正当である旨を示す情報及び利用者名が含まれている。また、認証部５２が正当なＩＣカードでないと判断した場合には、認証結果に、正当でない旨を示す情報が含まれている。これにより、電子黒板２ｘの送受信部２１は、認証結果を受信する。
【０１５５】
次に、電子黒板２ｘは、認証結果に基づく処理を行なう（ステップＳ５６）。ここで、図２０を用いて、ステップＳ５６の認証結果に基づく処理について詳細に説明する。図２０は、印刷する場合の認証結果に基づく処理を示すフローチャートである。
【０１５６】
図２０に示されているように、判断部２５は、ステップＳ５５によって受信された検討結果が正当である旨を示す情報であるか（即ち、ステップＳ５３によって送信された端末ＩＤが正当であるか）を判断する（ステップＳ５６−１）。そして、判断部２５が正当である旨を示す情報でないと判断した場合には（ＮＯ）、表示制御部２４が、ディスプレイ２２０上に、図１４（Ｂ）に示されているように、エラー画面１８０を表示する（ステップＳ５６−２）。また、判断部２５が正当である旨を示す情報であると判断した場合には（ＹＥＳ）、更に、ステップＳ５５によって受信された利用者ＩＤが、ログインしている利用者Ａの利用者ＩＤと同じであるかを判断する（ステップＳ５６−３）。そして、判断部２５が、同じであると判断した場合には（ＹＥＳ）、後述のステップＳ５７に進む。一方、判断部２５が、同じでないと判断した場合には（ＮＯ）、設定部２７は、印刷者名を、ステップＳ５５によって受信された利用者名に変更する（ステップＳ５６−４）。例えば、表示制御部２４が図９（Ｄ）で示されている印刷設定画面２６０を表示している際に、ログインした利用者Ａが近距離通信部２２１に自己のＩＣカード３を近接した場合、印刷者名は「Ｋａｔｏ」のままで変更されない。これに対して、表示制御部２４が図９（Ｄ）で示されている印刷設定画面２６０を表示している際に、ログインしていない利用者Ｂが近距離通信部２２１に自己のスマートフォン４を近接した場合、図２１に示されているように、印刷者名は「Ｋａｔｏ」から「Ｊｉｍ」に変更される。そして、ステップ５６−４の処理後は、ステップＳ５７に進む。
【０１５７】
次に、図１９に戻り、電子黒板２ｘの受付部２２は、図９（Ｄ）において利用者Ａから、又は図２１において利用者Ｂから、電子ペン２５００によって、カラー又は白黒等の印刷設定パラメータの設定を受け付け、「印刷」ボタン２６７の押下を受け付ける（ステップＳ５７）。これにより、作成部２６ｂは、利用者Ａ，Ｂによる描画によって得られたビットマップ形式の描画像データから、ＰＤＬ形式の画像データとしての印刷データを作成する（ステップＳ５８）。
【０１５８】
次に、電子黒板２ｘの送受信部２１は、印刷サーバ８に対して、ステップＳ５８で作成された印刷データを送信する（ステップＳ５９）。この印刷データには、印刷データに関連する情報（印刷者名、ファイル名、及び印刷設定パラメータ）が含まれている。これにより、印刷サーバ８の送受信部８１は、印刷データを受信する。
【０１５９】
次に、印刷サーバ８の記憶・読出処理部８９は、記憶部８０００にステップＳ５９によって受信された印刷データを記憶する（ステップＳ６０）。更に、記憶・読出処理部８９は、印刷データ管理テーブル（図１２（Ｃ）参照）に対して、ステップＳ５９によって受信された印刷データに関連する情報（印刷者名、ファイル名、及び印刷設定パラメータ）を関連付けて記憶することで管理する（ステップＳ６１）。以上より、印刷の準備処理が終了する。
【０１６０】
続いて、図２２及び図２３を用いて、最終的に印刷する場合について説明する。図２２は、利用者がＭＦＰを利用する状態を示したイメージ図である。図２３は、描画像データの印刷処理を示したシーケンス図である。ここでは、印刷の準備処理（ステップＳ５１〜Ｓ６１）において、利用者Ａが印刷の準備をした場合について説明する。なお、図２２において、ＭＦＰ９における近距離通信部９２１は、取得・提供部９８による処理を実行する部分である。
【０１６１】
まず、利用者ＡがＭＦＰ９の設置場所に移動し、図２２に示されているように、自己のＩＣカード３をＭＦＰ９の近距離通信部９２１に近接させると、図２３に示されているように、ＭＦＰ９の取得・提供部９８が、ＩＣカード３の取得・提供部３８からＩＣカード（専有端末の一例）を識別するための端末ＩＤを取得する（ステップＳ７１）。そして、ＭＦＰ９の送受信部９１は、端末管理サーバ５に対して、ＩＣカード３の認証要求を送信する（ステップＳ７２）。この認証要求には、取得・提供部９８によって取得されたＩＣカード３の端末ＩＤが含まれている。これにより、端末管理サーバ５の送受信部５１は、認証要求を受信する。
【０１６２】
次に、端末管理サーバ５の認証部５２は、端末ＩＤを利用してＩＣカード３の認証を行なう（ステップＳ７３）。具体的には、記憶・読出処理部５９は、ステップＳ７２によって受信された端末ＩＤを検索キーとして、端末管理テーブル（図１２（Ａ））において、端末ＩＤに対応する利用者名を検索する。対応する利用者名がある場合には、認証部５２は、正当なＩＣカード（端末ＩＤ）であると判断する。対応する利用者名がない場合には、認証部５２は、正当なＩＣカード（端末ＩＤ）ではないと判断する。
【０１６３】
次に、端末管理サーバ５の送受信部５１は、ＭＦＰ９に対して、認証結果を送信する（ステップＳ７４）。認証部５２が正当なＩＣカードであると判断した場合には、認証結果に、正当である旨を示す情報、利用者ＩＤ及び利用者名が含まれている。また、認証部５２が正当なＩＣカードでないと判断した場合には、認証結果に、正当でない旨を示す情報が含まれている。これにより、ＭＦＰ９の送受信部９１は、認証結果を受信する。
【０１６４】
次に、ＭＦＰ９は、認証結果に基づく処理を行なう（ステップＳ７５）。具体的には、判断部９５が認証結果の内容を判断し、認証結果に正当でない旨を示す情報を含んでいると判断した場合には印刷を行なわないが、認証結果に正当である旨を示す情報を含んでいると判断した場合には、ステップＳ７６の処理に進む。以降、認証結果に正当である旨を示す情報を含んでいる場合について説明を続ける。
【０１６５】
ＭＦＰ９の送受信部９１は、印刷サーバ８に対して、印刷データの要求を送信する（ステップＳ７６）。この要求には、ステップＳ７４で受信された利用者名が含まれている。これにより、印刷サーバ８の送受信部８１は、印刷データの要求を受信する。
【０１６６】
次に、印刷サーバ８では、記憶・読出処理部８９が、ステップＳ７４によって受信された利用者名を検索キーとして、印刷データ管理テーブル（図１２（Ｂ）参照）を検索することにより、対応するファイル名を読み出す（ステップＳ７７）。更に、記憶・読出処理部８９は、ステップＳ７７によって読み出したファイル名の印刷データを記憶部９０００から読み出す（ステップＳ７８）。そして、送受信部８１は、ＭＦＰ９に対して印刷データを送信する（ステップＳ７９）。この印刷データには、ステップＳ７６で受信された利用者名が含まれている。これにより、ＭＦＰ９の送受信部９１は、印刷データを受信する。
【０１６７】
次に、ＭＦＰ９では、印刷部９３が、印刷データに基づき、印刷用紙に画像を印刷して出力する（ステップＳ８０）。なお、ステップＳ７６，Ｓ７９では利用者名を送受信したが、これに限らず、利用者ＩＤであってもよい。この場合、ステップ７７では、利用者ＩＤが検索キーとして用いられる。以上により、印刷処理が終了する。
【０１６８】
＜終了処理＞
続いて、図２４及び図２５を用いて、上述の電子メールの送信及び印刷以外の処理の例として、終了処理について説明する。図２４は、描画の終了処理を示したシーケンス図である。図２５は、保存時にフォルダを選択する場合における終了処理を示すフローチャートである。ここでは、主に、利用者Ａが、電子黒板２ｘの近距離通信部２２１に自己のＩＣカード３を近接する場合について説明する。
【０１６９】
利用者Ａ，Ｂが、電子ペン２５００を用いて、電子黒板２ｘに描画しながら会議を進めた後、利用者Ａが電子ペン２５００等で図８（Ｂ）に示されている「メニュー」ボタン２３１を押下し、更に、「保存」ボタン２３５を押下することで、表示制御部２４はディスプレイ２２０上に図９（Ｃ）に示されているフォルダ選択画面２５０を表示する（ステップＳ９１）。
【０１７０】
次に、利用者Ａが、電子黒板２ｘの近距離通信部２２１に自己のＩＣカード３を近接することで、電子黒板２ｘの取得・提供部２８が、ＩＣカード３の取得・提供部３８からＩＣカード３（専有端末の一例）を識別するための端末ＩＤを取得する（ステップＳ９２）。
【０１７１】
次に、電子黒板２ｘの送受信部２１は、端末管理サーバ５に対して、ＩＣカード３の認証要求を送信する（ステップＳ９３）。この認証要求には、取得・提供部２８によって取得されたＩＣカード３の端末ＩＤが含まれている。これにより、端末管理サーバ５の送受信部５１は、認証要求を受信する。
【０１７２】
次に、端末管理サーバ５の認証部５２は、端末ＩＤを利用してＩＣカード３の認証を行なう（ステップＳ９４）。具体的には、記憶・読出処理部５９は、ステップＳ９３によって受信された端末ＩＤを検索キーとして、端末管理テーブル（図１２（Ａ）参照）において、端末ＩＤに対応する利用者ＩＤを検索する。対応する利用者ＩＤがある場合には、認証部５２は、正当なＩＣカード（端末ＩＤ）であると判断する。対応する利用者ＩＤがない場合には、認証部５２は、正当なＩＣカード（端末ＩＤ）ではないと判断する。
【０１７３】
次に、端末管理サーバ５の送受信部５１は、電子黒板２ｘに対して、認証結果を送信する（ステップＳ９５）。認証部５２が正当なＩＣカード（端末ＩＤ）であると判断した場合には、認証結果に、正当である旨を示す情報、利用者ＩＤ、及び利用者名が含まれている。また、認証部５２が正当なＩＣカード（端末ＩＤ）でないと判断した場合には、認証結果に、正当でない旨を示す情報が含まれている。これにより、電子黒板２ｘの送受信部２１は、認証結果を受信する。
【０１７４】
次に、電子黒板２ｘは、認証結果に基づく処理を行なう（ステップＳ９６）。ここで、図２５を用いて、ステップＳ９６の認証結果に基づく処理について詳細に説明する。
【０１７５】
図２５に示されているように、判断部２５は、ステップＳ９５によって受信された検討結果が正当である旨を示す情報であるか（即ち、ステップＳ９３によって送信された端末ＩＤが正当であるか）を判断する（ステップＳ９６−１）。そして、判断部２５が正当である旨を示す情報でないと判断した場合には（ＮＯ）、表示制御部２４が、ディスプレイ２２０上に、図１４（Ｂ）に示されているように、エラー画面１８０を表示する（ステップＳ９６−２）。また、判断部２５が正当である旨を示す情報であると判断した場合には（ＹＥＳ）、更に、ステップＳ９５によって受信された利用者ＩＤが、ログインしている利用者Ａの利用者ＩＤと同じであるかを判断する（ステップＳ９６−３）。そして、判断部２５が、同じであると判断した場合には（ＹＥＳ）、表示制御部２４が、ディスプレイ２２０上に、図８（Ｃ）に示されているような終了画面２３８を表示する（ステップＳ９６−４）。一方、判断部２５が、同じでないと判断した場合には（ＮＯ）、ステップＳ９６−２の処理に進み、表示制御部２４が、ディスプレイ２２０上に、図１４（Ｂ）に示されているようなエラー画面１８０を表示する。
【０１７６】
以上のように、表示制御部２４が、図１０（Ａ）に示されている電子メールの宛先設定画面２７０及び図９に示されている印刷設定画面２６０以外の画面の一例として、図９（Ｃ）に示されているフォルダ選択画面２５０を表示している際に、ログインした利用者Ａが近距離通信部２２１に自己のＩＣカード３を近接した場合には、判断部２５は利用者Ａがログオフを所望していると判断し、表示制御部２４は図８（Ｃ）に示されている終了画面２３８を表示する。一方、表示制御部２４が、図１０（Ａ）に示されている電子メールの宛先設定画面２７０及び図９に示されている印刷設定画面２６０以外の画面が表示されている場合に、ログインしていない利用者Ｂが近距離通信部２２１に自己のスマートフォン４を近接した場合には、判断部２５は利用者Ｂが誤操作をしたと判断し、表示制御部２４は図１４（Ｂ）に示されているエラー画面１８０を表示する。
【０１７７】
なお、電子メールの宛先設定画面２７０及び図９に示されている印刷設定画面２６０以外の画面の他の例として、例えば、描画画面２３０（図８（Ａ）），メニュー選択画面２３２（図８（Ｂ））、読み込み時のフォルダ選択画面２４０（図９（Ａ））、読み込み時のファイル選択画面２４５(図９（Ｂ）)、電子メール設定画面２８０（図１０（Ｂ））、ＱＲコード表示画面（図１０（Ｃ））の各画面が挙げられる。
【０１７８】
＜＜実施形態の主な効果＞＞
以上説明したように、本実施形態によれば、複数の利用者が共有することができる電子黒板２ｘ等の共有端末であっても、ログインに利用するＩＣカード等の端末を専有のものとすることで、セキュリティーを確保することができるという効果を奏する。
【０１７９】
また、ログインした利用者Ａが電子黒板２ｘに自己のＩＣカード３を近接すると終了画面２３８（図８（Ｃ）参照）の表示へ進み（Ｓ９６−４参照）、ログインしていない利用者Ｂが電子黒板２ｘに自己のスマートフォン４を近接するとエラー画面１８０（図１４（Ｂ）参照）の表示へ進む（Ｓ９６−２参照）。これにより、ＩＣカード３の近接で容易にログインした利用者Ａは、ＩＣカード３の近接で容易にログアウトすることができる。更に、電子黒板２ｘは、ログインしていない利用者Ｂがスマートフォン４を近接させても、ログアウトを受け付けないことで、セキュリティーを確保することができる。
【０１８０】
また、設定部２７は、ログインした利用者Ａの電子メールアドレスを、送信元メールアドレス及び送信先メールアドレスとして設定するので（Ｓ２０参照）、利用者Ａは送信元や送信先の設定を容易に行なうことができる。更に、宛先設定画面２７０（図１０（Ａ）参照）が表示されている場合に、ログインしていない利用者Ｂが自己のスマートフォン４を電子黒板２ｘに近接すると、表示制御部２４は宛先設定画面２７０（図１４（Ｄ）参照）に利用者Ｂの電子メールアドレスを追加表示させる（Ｓ４０参照）。これにより、利用者Ｂが描画像データを自己のＰＣ１０ｂに送信したい場合、わざわざ自己の電子メールアドレスの入力又は選択を行なう必要がないため、電子メールアドレスの設定の手間を省くことができる。
【０１８１】
また、設定部２７が、ログインした利用者Ａの利用者名を印刷者名として設定し、表示制御部２４が、印刷設定画面２６０に、ログインした利用者Ａの利用者名を印刷者名として表示している（Ｓ５１参照）。これにより、利用者Ａは印刷者名の設定を容易に行なうことができる。更に、印刷設定画面２６０（図９（Ｄ）参照）が表示されている場合に、ログインしていない利用者Ｂが自己のスマートフォン４を電子黒板２ｘに近接すると、表示制御部２４は印刷設定画面２６０（図２１参照）も印刷者名を、ログインした利用者Ａの利用者名から利用者Ｂの利用者名に変更表示させる（Ｓ５６−４）。これにより、ログインしていない利用者Ｂが描画像データを印刷したい場合であっても、容易に印刷することができる。即ち、利用者がＭＦＰ９の設置場所まで移動して自己の専有端末を近接しなければ印刷が開始されないセキュアプリントを採用する場合、ログインしなかった利用者Ｂが印刷しようとして、ＭＦＰ９に自己のスマートフォン４（専有端末）を近接しても印刷することができない。しかし、本実施形態では、利用者Ｂが電子黒板２ｘに自己のスマートフォン４（専有端末）を近接しておけば、印刷者が利用者Ｂになるため、ログインしていない利用者Ｂであってもセキュアプリントによる印刷が可能である。
【０１８２】
＜＜その他の処理または動作＞＞
次に、図２８を用いて、その他の処理または動作を説明する。図２８は、第２の実施形態における画像に係るデータの他の通信処理を示したシーケンス図である。なお、本実施形態は、図１３に示されている第１の実施形態のステップＳ１３，Ｓ１４の処理に代えて、ステップＳ１１３〜Ｓ１１７の処理を実行するため、以降、ステップＳ１１３〜Ｓ１１７の処理について説明する。なお、端末管理サーバ５は複数設置されていてもよい。
【０１８３】
まず、図１１に示されているステップＳ１２において、電子黒板２ｘの取得・提供部２８が、ＩＣカード３の取得・提供部３８からＩＣカードの端末ＩＤを取得した場合、図２８において、電子黒板２ｘの送受信部２１は、端末管理サーバ５に対して、接続キーｋ１を送信する（ステップＳ１１３）。これにより、端末管理サーバ５の送受信部５１は、接続キーｋ１を受信する。この接続キーｋ１は、認証する情報を保持している端末管理サーバ５のクライアントとして発行されるものであり、あらかじめ電子黒板２ｘの記憶部２０００に記憶されている。
【０１８４】
一方、端末管理サーバ５側の記憶部５０００にも、発行された接続キーｋ２が保存されている。そして、端末管理サーバ５の判断部５５は、受信された接続キーｋ１と保存されている接続キーｋ２が同じであるか否かを判断することで、アクセス可否の判断を行なう（ステップＳ１１４）。接続キーｋ１と接続キーｋ２が同じ場合には、判断部５５はアクセス可能であると判断する。接続キーｋ１と接続キーｋ２が同じでない場合には、判断部５５はアクセス不可能であると判断する。
【０１８５】
次に、端末管理サーバ５の送受信部５１は、電子黒板２ｘに対して、判断結果を送信する（ステップＳ１１５）。判断部５５がアクセス可能であると判断した場合には、判断結果に、アクセス可能である旨を示す情報、及びアクセス情報ａ１が含まれている。また、判断部５５がアクセス不可能であると判断した場合には、判断結果に、アクセス不可能である旨を示す情報が含まれている。これにより、電子黒板２ｘの送受信部２１は、判断結果を受信する。なお、アクセス情報ａ１は、例えば、１６文字、３２文字、６４文字などの一意のランダムな英数字列であり、判断部５５によってアクセス可能であると判断された場合に、続けて、判断部５５によって生成される情報である。生成されたアクセス情報ａ１は、記憶・読出処理部５９によって記憶部５０００に一時的に記憶される。
【０１８６】
次に、電子黒板２ｘは、判断結果に基づく処理を行なう（ステップＳ１１６）。この処理の例として、判断結果がアクセス不可能である旨を示す情報を含んでいる場合には、表示制御部２４は、ディスプレイ２２０上に、アクセス不可能である旨の表示を行なう。また、判断結果がアクセス可能である旨を示す情報を含んでいる場合には、ステップＳ１１７の処理に進む。以降、アクセス可能である場合に関して、説明を続ける。
【０１８７】
電子黒板２ｘの送受信部２１は、端末管理サーバ５に対して、認証要求を送信する（ステップＳ１１７）。この認証要求には、ステップＳ１２によって取得された端末ＩＤ、及びアクセス情報ａ２が含まれている。これにより、端末管理サーバ５の送受信部５１は、認証要求を受信する。
【０１８８】
次に、端末管理サーバ５の認証部５２は、アクセス情報ａ２及び端末ＩＤを利用してＩＣカード３の認証を行なう（ステップＳ１１８）。具体的には、判断部５５が、受信されたアクセス情報ａ２と、記憶部５０００に一時的に記憶されているアクセス情報ａ１とが一致しているか否かを判断し、一致していると判断した場合には、更に、上述のステップＳ１４と同様に、認証部５２が認証の処理を実行する。一方、判断部５５が、受信されたアクセス情報ａ２と、記憶部５０００に一時的に記憶されているアクセス情報ａ１とが一致していないと判断した場合には、認証部５２による認証の処理を実行せずに、送受信部５１が、電子黒板２ｘに対して、正当でない旨を示す情報を送信する。この処理以降は、第１の実施形態におけるステップＳ１４以降の処理と同様であるため、説明を省略する。
【０１８９】
なお、ステップＳ１１４の処理後に、送受信部５１は、アクセス情報を暗号化してからステップＳ１１５の送信を行なってもよい。
【０１９０】
＜＜その他の処理または動作による主な効果＞＞
以上説明したように、本実施形態によれば、端末管理サーバ５は、端末ＩＤを利用した認証だけでなく、電子黒板２ｘ（共有端末）がライセンスされた正当な端末であるか否かを判定することができるため、第１の実施形態に加えて、更にセキュリティが確保された通信システムを提供することができるという効果を奏する。
【０１９１】
また、端末管理サーバ５が複数存在する場合、電子黒板２ｘは、ステップＳ１１４でアクセス情報を生成していない端末管理サーバに認証要求を送信したときには、アクセス不可であることが応答されるため、認証による正当性を強化することができるという効果を奏する。
【０１９２】
＜その他＞
図２に示されているＣＰＵ２０１等の各構成要素は、単一であってもよく複数であってもよい。図３に示されているＩＣカード３、図４に示されているスマートフォン４、図５に示されている端末管理サーバ５等を構成するＰＣ等、図６に示されているＭＦＰ９、及び図７に示されているビデオ会議端末１３についても同様に、各構成要素は、単一であってもよく複数であってもよい。
【０１９３】
上述の実施形態における各機能は、一又は複数の処理回路によって実現することが可能である。ここで、本実施形態における「処理回路」は、電子回路により実装されるプロセッサのようにソフトウェアによって各機能を実行するようプログラミングされたプロセッサや、上述した各機能を実行するよう設計されたASIC(Application Specific Integrated Circuit)、DSP（digital signal processor）、FPGA（field programmable gate array）、SOC(System on a chip)、GPU、及び従来の回路モジュール等のデバイスを含む。
【符号の説明】
【０１９４】
１  通信システム
２ｘ  電子黒板（共有端末の一例）
２ｙ  電子黒板（共有端末の一例）
３  ＩＣカード（専有端末の一例）
４  スマートフォン（専有端末の一例）
５  端末管理サーバ
６  宛先管理サーバ
７  メールサーバ
８  印刷サーバ+
１１ａ  ＰＣ（個人端末の一例）
１１  ＰＣ（個人端末の一例）
１２  ＭＦＰ（印刷装置の一例）
１３  ビデオ会議端末
２１  送受信部（送信手段の一例、受信手段の一例）
２２  受付部
２３  画像・音処理部
２４  表示制御部（表示制御手段の一例）
２５  判断部
２６ａ  作成部（第１の作成手段の一例）
２６ｂ  作成部（第２の作成手段の一例）
２８  取得・提供部（取得手段の一例）
２９  記憶・読出処理部
５１  送受信部
５２  認証部
５９  記憶・読出処理部
６１  送受信部
６９  記憶・読出処理部
５００１  端末管理ＤＢ
６００１  宛先管理ＤＢ
８００１  印刷データ管理ＤＢ
１００  通信ネットワーク
【先行技術文献】
【特許文献】
【０１９５】
【特許文献１】特開２００１−２９２２６６号公報
【特許文献２】特開２０００−２５０８６１号公報
【図１】
2018046559.tif 000003
【図２】
2018046559.tif 000004
【図３】
2018046559.tif 000005
【図４】
2018046559.tif 000006
【図５】
2018046559.tif 000007
【図６】
2018046559.tif 000008
【図７】
2018046559.tif 000009
【図８】
2018046559.tif 000010
【図９】
2018046559.tif 000011
【図１０】
2018046559.tif 000012
【図１１】
2018046559.tif 000013
【図１２】
2018046559.tif 000014
【図１３】
2018046559.tif 000015
【図１４】
2018046559.tif 000016
【図１５】
2018046559.tif 000017
【図１６】
2018046559.tif 000018
【図１７】
2018046559.tif 000019
【図１８】
2018046559.tif 000020
【図１９】
2018046559.tif 000021
【図２０】
2018046559.tif 000022
【図２１】
2018046559.tif 000023
【図２２】
2018046559.tif 000024
【図２３】
2018046559.tif 000025
【図２４】
2018046559.tif 000026
【図２５】
2018046559.tif 000027
【図２６】
2018046559.tif 000028